(57)【要約】  本発明は、通信技術分野に関するチャネル状態情報を決定するための方法および装置を開示する。当該方法は、ネットワーク側のデバイスは、チャネル状態情報（ＣＳＩ）の測定モードを決定するステップであって、前記測定モードは、前記ネットワーク側のデバイスが、Ｍ個の復調参照信号ポートグループ（ＤＭＲＳ）ポートグループに対応する送受信ポイントを介してＭ個のコードワードを使用して送信を実行することであり、ここで、Ｍは１以上であり、各コードワードは１つのＤＭＲＳポートグループに対応する前記決定するステップと、前記ネットワーク側のデバイスは、測定モードに従ってＮ個のＣＳＩ−ＲＳリソースを決定するステップであって、Ｎ個の前記ＣＳＩ−ＲＳリソースは、Ｍ個のコードワードに対応する伝送チャネルのチャネル状態情報（ＣＳＩ）を決定するために端末によって使用され、前記コードワードに対応する伝送チャネルは、前記コードワードの送受信ポイントから前記端末への伝送チャネルであり、前記ＭはＮ以下である前記決定するステップとを含む。当該方法より、マルチポイント非コヒーレント伝送に適したＣＳＩを決定するための方法が提供される。
2022500954.tif 000002
【特許請求の範囲】
【請求項１】
ネットワーク側のデバイスは、チャネル状態情報（ＣＳＩ）の測定モードを決定するステップであって、前記測定モードは、前記ネットワーク側のデバイスが、Ｍ個の復調参照信号ポートグループ（ＤＭＲＳ）ポートグループに対応する送受信ポイントを介してＭ個のコードワードを使用して送信を実行することであり、ここで、Ｍは１以上であり、各コードワードは１つのＤＭＲＳポートグループに対応する前記決定するステップと、
前記ネットワーク側のデバイスは、測定モードに従ってＮ個のＣＳＩ−ＲＳリソースを決定するステップであって、Ｎ個の前記ＣＳＩ−ＲＳリソースは、Ｍ個のコードワードに対応する伝送チャネルのチャネル状態情報（ＣＳＩ）を決定するために端末によって使用され、前記コードワードに対応する伝送チャネルは、前記コードワードの送受信ポイントから前記端末への伝送チャネルであり、前記ＭはＮ以下である前記決定するステップとを含むことを特徴とする、チャネル状態情報を決定するための方法。
【請求項２】
前記ネットワーク側のデバイスは、測定モードに従ってＮ個のＣＳＩ−ＲＳリソースを決定した後、
前記ネットワーク側のデバイスは、Ｎ個の前記ＣＳＩ−ＲＳリソースに対応する表示情報を決定し、Ｎ個の前記ＣＳＩ−ＲＳリソースに対応する表示情報は、前記端末は、Ｎ個の前記ＣＳＩ−ＲＳリソースに従がってに従がってＭ個のコードワードに対応する伝送チャネルのチャネル状態情報（ＣＳＩ）を決定するために端末を示すために使用され、
前記ネットワーク側のデバイスは、前記Ｎ個の前記ＣＳＩ−ＲＳリソースに対応する表示情報を前記端末に送信することを特徴とする、請求項１に記載のチャネル状態情報を決定するための方法。
【請求項３】
前記ネットワーク側のデバイスがＮ個の前記ＣＳＩ−ＲＳリソースに対応する表示情報を前記端末に送信することは、
前記ネットワーク側のデバイスは、Ｎ個の前記ＣＳＩ−ＲＳリソースに対応する表示情報をＣＳＩ−ＲＳ測定リソースパラメータに追加し、前記ネットワーク側のデバイスは、前記ＣＳＩ−ＲＳ測定リソースパラメータを前記端末に送信し、ここで、前記ＣＳＩ−ＲＳ測定リソースパラメータは、前記ＣＳＩ−ＲＳ測定リソースパラメータに従がって測定する端末を示すために使用され、または、
前記ネットワーク側のデバイス高位層のシグナリングを介してＮ個の前記ＣＳＩ−ＲＳリソースに対応する表示情報を前記端末に通知し、または、
前記ネットワーク側のデバイスは、物理ダウンリンクシグナリングを介してＮ個の前記ＣＳＩ−ＲＳリソースに対応する表示情報を前記端末に通知することを含むことを特徴とする、請求項２に記載のチャネル状態情報を決定するための方法。
【請求項４】
前記ネットワーク側のデバイスは、測定モードに従ってＮ個のＣＳＩ−ＲＳリソースを決定した後、
前記ネットワーク側のデバイスは、ＣＳＩ−ＲＳ構成情報を決定し、前記ＣＳＩ−ＲＳ構成情報は、ＣＳＩ−ＲＳ測定リソースパラメータと、前記ＣＳＩ−ＲＳ測定リソースパラメータに対応するレポートフィードバックパラメータとを含み、前記ＣＳＩ−ＲＳ測定リソースパラメータは、Ｎ個の前記ＣＳＩ−ＲＳリソースに対応する表示情報を含み、前記レポートフィードバックパラメータは、ＣＳＩの測定後に端末によってレポートされたコンテンツとフィードバックモードを示すために使用され、
前記ネットワーク側のデバイスは、前記ＣＳＩ−ＲＳ構成情報を前記端末に送信することを特徴とする、請求項３に記載のチャネル状態情報を決定するための方法。
【請求項５】
Ｎ個の前記ＣＳＩ−ＲＳリソースに対応する表示情報は、第１の表示情報、第２の表示情報、第３の表示情報のうちの任意の１つまたは複数を含み、
各ＣＳＩ−ＲＳリソースについて、前記第１の表示情報は、前記コードワードに対応する伝送チャネルのチャネル推定値を推定するために前記端末を示すために使用され、
各ＣＳＩ−ＲＳリソースについて、前記第２の表示情報は、前記端末が、他のＣＳＩ−ＲＳリソースに対応するコードワードを受信するときに、前記ＣＳＩ−ＲＳリソースに対応するコードワードによって生成される端末との干渉の干渉推定値を推定するために端末を示すために使用され、
各ＣＳＩ−ＲＳリソースについて、前記第３の表示情報は前記端末が受信したノイズを推定するために前記端末を示すために使用され、および／または
前記第３の表示情報は、前記端末との間の他の干渉の干渉推定値を推定するために前記端末を示すために使用されることを特徴とする、請求項２に記載のチャネル状態情報を決定するための方法。
【請求項６】
端末は、ネットワーク側のデバイスによって送信されたＮ個のＣＳＩ−ＲＳリソースを受信するステップであって、Ｎ個の前記ＣＳＩ−ＲＳリソースは、チャネル状態情報（ＣＳＩ）の測定モードに従ってネットワーク側のデバイスによって決定され、前記測定モードは、前記ネットワーク側のデバイスが、Ｍ個の復調参照信号ポートグループ（ＤＭＲＳ）ポートグループに対応する送受信ポイントを介してＭ個のコードワードを使用して送信を実行することであり、ここで、Ｍは１以上であり、各コードワードは１つのＤＭＲＳポートグループに対応する前記受信するステップと、
前記端末は、Ｎ個の前記ＣＳＩ−ＲＳリソースに従がってＭ個のコードワードに対応する伝送チャネルのチャネル状態情報（ＣＳＩ）を決定するステップであって、前記伝送チャネルは、前記コードワードの送受信ポイントから端末への伝送チャネルであり、ここで、Ｍは、Ｎ以下である前記決定するステップとを含むことを特徴とする、記載のチャネル状態情報を決定するための方法。
【請求項７】
前記端末が、Ｎ個の前記ＣＳＩ−ＲＳリソースに従がってＭ個のコードワードに対応する伝送チャネルのチャネル状態情報（ＣＳＩ）を決定することは、以下のうちの任意の１つまたは複数を含み、
各ＣＳＩ−ＲＳリソースについて、前記端末は、前記ＣＳＩ−ＲＳリソースに従って前記コードワードに対応する伝送チャネルのチャネル推定値を推定し、
各ＣＳＩ−ＲＳリソースについて、前記端末は、前記ＣＳＩ−ＲＳリソースに従って他のＣＳＩ−ＲＳリソースに対応するコードワードを受信したときに、前記ＣＳＩ−ＲＳリソースに対応するコードワードによって生成される端末との干渉の干渉推定値を推定し、
各ＣＳＩ−ＲＳリソースについて、前記端末は、前記ＣＳＩ−ＲＳリソースに従って前記端末によって受信されたノイズを推定し、
各ＣＳＩ−ＲＳリソースについて、前記端末は、前記ＣＳＩ−ＲＳリソースに従って前記端末によって受信された他の干渉の干渉推定値を推定することを特徴とする、請求項６に記載のチャネル状態情報を決定するための方法。
【請求項８】
前記端末は、Ｎ個の前記ＣＳＩ−ＲＳリソースに対応する表示情報を取得し、前記表示情報は、第１の表示情報、第２の表示情報、および第３の表示情報のうちの任意の１つまたは複数を含み、
各ＣＳＩ−ＲＳリソースについて、前記端末が、前記ＣＳＩ−ＲＳリソースに従って前記コードワードに対応する伝送チャネルのチャネル推定値を推定することは、前記端末は、前記第１の表示情報および前記ＣＳＩ−ＲＳリソースに従って前記コードワードに対応する伝送チャネルのチャネル推定値を推定することであり、ここで、前記第１の表示情報は、前記コードワードに対応する伝送チャネルのチャネル推定値を推定するために前記端末を示すために使用され、
各ＣＳＩ−ＲＳリソースについて、前記端末は、前記ＣＳＩ−ＲＳリソースに従って他のＣＳＩ−ＲＳリソースに対応するコードワードを受信したときに、前記ＣＳＩ−ＲＳリソースに対応するコードワードによって生成される端末との干渉の干渉推定値を推定することは、前記端末は、前記第２の表示情報および前記ＣＳＩ−ＲＳリソースに従がい、他のＣＳＩ−ＲＳリソースに対応するコードワードを受信したときに、前記ＣＳＩ−ＲＳリソースに対応するコードワードによって生成される端末との干渉の干渉推定値を推定することであり、ここで、前記第２の表示情報は、前記端末が、他のＣＳＩ−ＲＳリソースに対応するコードワードを受信するときに、前記ＣＳＩ−ＲＳリソースに対応するコードワードによって生成される端末との干渉の干渉推定値を推定するために端末を示すために使用され、
各ＣＳＩ−ＲＳリソースについて、前記端末が、前記ＣＳＩ−ＲＳリソースに従って前記端末によって受信されたノイズを推定することは、前記端末は、前記第３の表示情報以及前記ＣＳＩ−ＲＳリソースに従って前記端末によって受信されたノイズを推定することであり、ここで、前記第３の表示情報は、前記端末によって受信されたノイズを推定するために前記端末を示すために使用され、
各ＣＳＩ−ＲＳリソースについて、前記端末が、前記ＣＳＩ−ＲＳリソースに従って前記端末によって受信された他の干渉の干渉推定値を推定することは、
前記端末は、前記第３の表示情報以及前記ＣＳＩ−ＲＳリソースに従って前記端末によって受信された他の干渉の干渉推定値を推定し、ここで、前記第３の表示情報は、前記端末によって受信された他の干渉の干渉推定値を推定するために前記端末を示すためにさらに使用されることを特徴とする、請求項７に記載のチャネル状態情報を決定するための方法。
【請求項９】
前記端末が、Ｎ個の前記ＣＳＩ−ＲＳリソースに対応する表示情報を取得することは、
前記端末は、前記ネットワーク側のデバイスによって送信されたＣＳＩ−ＲＳ測定リソースパラメータを受信し、前記ＣＳＩ−ＲＳ測定リソースパラメータは、Ｎ個の前記ＣＳＩ−ＲＳリソースに対応する表示情報を含み、または、
前記端末は、前記ネットワーク側のデバイスによって送信された高位層シグナリングを受信し、前記高位層シグナリングは、Ｎ個の前記ＣＳＩ−ＲＳリソースに対応する表示情報を含み、または、
前記端末は、前記ネットワーク側のデバイスによって送信された物理ダウンリンクシグナリングを受信し、前記物理ダウンリンクシグナリングは、Ｎ個の前記ＣＳＩ−ＲＳリソースに対応する表示情報を含むことを特徴とする、請求項８に記載のチャネル状態情報を決定するための方法。
【請求項１０】
前記端末が、Ｎ個の前記ＣＳＩ−ＲＳリソースに対応する表示情報を取得することは、
前記端末は、受信した前記ＣＳＩ−ＲＳリソースの数、およびＣＳＩ−ＲＳリソースの数と表示情報との間のバインディング関係に従ってＮ個の前記ＣＳＩ−ＲＳリソースに対応する表示情報を決定することを特徴とする、請求項８に記載のチャネル状態情報を決定するための方法。
【請求項１１】
各コードワードについて、前記ＣＳＩは、前記コードワードに対応するＣＳＩ−ＲＳリソースに対応するプリコーディング・マトリックス・インジケータ（ＰＭＩ）と、前記コードワードに対応するＣＳＩ−ＲＳリソースに対応するランク・インジケータ（ＲＩ）および前記コードワードに対応するチャネル品質インジケータ（ＣＱＩ）を含むことを特徴とする、請求項６から１０のいずれか１項に記載のチャネル状態情報を決定するための方法。
【請求項１２】
前記端末が、Ｎ個の前記ＣＳＩ−ＲＳリソースに従がってＭ個の前記コードワードに対応する伝送チャネルのチャネル状態情報（ＣＳＩ）を決定し、を決定することは、
前記端末は、仮定条件およびＮ個の前記ＣＳＩ−ＲＳリソースに従ってＭ個の前記コードワードに対応する伝送チャネルのチャネル状態情報（ＣＳＩ）を決定し、
ここで、前記仮定条件は、
各ＣＳＩ−ＲＳリソースについて、前記端末は、前記ＣＳＩ−ＲＳリソースに対応するＤＭＲＳポートグループを介して送信された前記ＣＳＩ−ＲＳリソースに対応するコードワードが、前記ＣＳＩ−ＲＳリソースに対応するＰＭＩ／ＲＩを使用し、通過前記ＤＭＲＳポートグループに対応する送受信ポイントを介して前記端末に送信されると、想定することであることを特徴とする、請求項１１に記載のチャネル状態情報を決定するための方法。
【請求項１３】
前記仮定条件はさらに、
各ＣＳＩ−ＲＳリソースについて、前記端末が、他のＤＭＲＳポートグループに対応するコードワードを受信したときに、前記ＤＭＲＳポートグループに対応するコードワードが、前記ＣＳＩ−ＲＳリソースに対応するＰＭＩ／ＲＩを使用し、前記ＤＭＲＳポートグループに対応する送受信ポイントを介して前記端末に送信するを、想定することを特徴とする、請求項１２に記載のチャネル状態情報を決定するための方法。
【請求項１４】
前記端末が、Ｎ個の前記ＣＳＩ−ＲＳリソースに従がってＭ個のコードワードに対応する伝送チャネルのチャネル状態情報（ＣＳＩ）を決定することは、
前記端末は、Ｎ個の前記ＣＳＩ−ＲＳリソースに従がってＮ個のコードワードに対応する伝送チャネルのチャネル状態情報（ＣＳＩ）を決定し、
前記端末は、Ｍ個のコードワードに対応する伝送チャネルのチャネル状態情報（ＣＳＩ）レポートし、
または、
前記端末は、Ｎ個の前記ＣＳＩ−ＲＳリソースのうちのＭ個の前記ＣＳＩ−ＲＳリソースに従がってＭ個のコードワードに対応する伝送チャネルのチャネル状態情報（ＣＳＩ）を決定し、
前記端末は、Ｍ個のコードワードに対応する伝送チャネルのチャネル状態情報（ＣＳＩ）レポートすることを含むことを特徴とする、請求項６に記載のチャネル状態情報を決定するための方法。
【請求項１５】
チャネル状態情報（ＣＳＩ）の測定モードを決定するように構成された測定モード決定ユニット、前記測定モードは、前記ネットワーク側のデバイスが、Ｍ個の復調参照信号ポートグループ（ＤＭＲＳ）ポートグループに対応する送受信ポイントを介してＭ個のコードワードを使用して送信を実行することであり、ここで、Ｍは１以上であり、各コードワードは１つのＤＭＲＳポートグループに対応し、
Ｎ個のＣＳＩ−ＲＳリソースを決定するように構成されたリソース決定ユニット、Ｎ個の前記ＣＳＩ−ＲＳリソースは、Ｍ個のコードワードに対応する伝送チャネルのチャネル状態情報（ＣＳＩ）を決定するために端末によって使用され、前記コードワードに対応する伝送チャネルは、前記コードワードの送受信ポイントから前記端末への伝送チャネルであり、前記ＭはＮ以下であることを特徴とする、チャネル状態情報を決定するための装置。
【請求項１６】
ネットワーク側のデバイスによって送信されたＮ個のＣＳＩ−ＲＳリソースを受信するように構成された受信ユニットであって、Ｎ個の前記ＣＳＩ−ＲＳリソースは、チャネル状態情報（ＣＳＩ）の測定モードに従ってネットワーク側のデバイスによって決定され、前記測定モードは、前記ネットワーク側のデバイスが、Ｍ個の復調参照信号ポートグループ（ＤＭＲＳ）ポートグループに対応する送受信ポイントを介してＭ個のコードワードを使用して送信を実行することであり、ここで、Ｍは１以上であり、各コードワードは１つのＤＭＲＳポートグループに対応する前記受信ユニットと、
Ｎ個の前記ＣＳＩ−ＲＳリソースに従ってＭ個のコードワードに対応する伝送チャネルのチャネル状態情報（ＣＳＩ）を決定するように構成されたＣＳＩ決定ユニットであって、前記伝送チャネルは、前記コードワードの送受信ポイントから端末への伝送チャネルであり、ここで、Ｍは、Ｎ以下である前記ＣＳＩ決定ユニットとを含むことを特徴とする、チャネル状態情報を決定するための装置。
【請求項１７】
少なくとも１つのプロセッサと、
前記少なくとも１つのプロセッサに通信可能に接続されたメモリとを含み
前記メモリは、前記少なくとも１つのプロセッサによって実行可能な命令を記憶し、前記命令は、前記少なくとも１つのプロセッサによって実行されて、少なくとも１つのプロセッサが請求項１から５のいずれか１つの方法を実行できるようにすることを特徴とする、電子デバイス。
【請求項１８】
前記コンピュータに請求項１から５のいずれか１つの方法を実行させるコンピュータ命令を記憶する、非一時的なコンピュータ可読記憶媒体。
【請求項１９】
少なくとも１つのプロセッサと、
前記少なくとも１つのプロセッサに通信可能に接続されたメモリとを含み、
前記メモリは、前記少なくとも１つのプロセッサによって実行可能な命令を記憶し、前記命令は、前記少なくとも１つのプロセッサによって実行されて、少なくとも１つのプロセッサが、請求項６から１４のいずれか１つの方法を実行できるようにすることを特徴とする、電子デバイス。
【請求項２０】
前記コンピュータに請求項６から１４のいずれか１つの方法を実行させるコンピュータ命令を記憶する、非一時的なコンピュータ可読記憶媒体。
【発明の詳細な説明】
【技術分野】
【０００１】
［関連出願の相互参照］
本出願は、２０１８年９月２１日に中国特許局に提出し、出願番号が２０１８１１１０８５８０．０であり、発明名称が「チャネル状態情報を決定するための方法および装置」との中国特許出願を基礎とする優先権を主張し、その開示の総てをここに取り込む。
【０００２】
［技術分野］
本発明は、通信技術分野に関し、特にチャネル状態情報を決定するための方法および装置に関する。
【背景技術】
【０００３】
モビリティおよびブロードバンドは、現代の通信技術の開発の方向性となっている。第５世代携帯電話アクション通信規格である５Ｇは、第５世代移動通信技術としても知られており、４Ｇの後の拡張でもある。５Ｇは、新世代の情報通信の発展の主な方向性として、未来社会のあらゆる分野に浸透し、ユーザーを中心とした包括的な情報エコシステムを構築していく。
【０００４】
ＭＩＭＯ（Ｍｕｌｔｉｐｌｅ−Ｉｎｐｕｔ  Ｍｕｌｔｉｐｌｅ−Ｏｕｔｐｕｔ，多入力多出力）技術は、送信端および受信端でそれぞれ複数の送信アンテナおよび受信アンテナを使用することを指し、その結果、信号は、送信端および受信端で複数のアンテナを介して送受信される。これにより、通信品質が向上する。スペースリソースを最大限に活用し、複数のアンテナを介して複数の送信と複数の受信を実現でき、スペクトルリソースとアンテナ送信電力を増やすことなく、システムチャネル容量を何倍にも増やすことができる。
【０００５】
セルエッジのカバレッジを改善し、サービスエリア内でよりバランスの取れたサービス品質を提供するために、協調マルチポイント伝送技術が従来技術で使用されている。協調マルチポイント伝送技術は、コヒーレント伝送と非コヒーレント伝送の２つのタイプに大別できる。ここで、コヒーレント送信では、各データ層は、重み付きベクトルを介して複数のＴＲＰ（Ｔｒａｎｓｍｉｓｓｉｏｎ  Ｒｅｃｅｐｔｉｏｎ  Ｐｏｉｎｔ，送受信ポイント）／パネルにマッピングできる。非コヒーレント伝送では、各データストリームはＴＲＰ／パネルの一部にのみマッピングされる。
【発明の概要】
【発明が解決しようとする課題】
【０００６】
ＣＳＩ（Ｃｈａｎｎｅｌ  Ｓｔａｔｅ  Ｉｎｆｏｒｍａｔｉｏｎ，チャネル状態情報）のフィードバックは、ＭＩＭＯ送信の性能を決定するので、ＭＩＭＯ設計全体において重要な役割を果たす。ネットワーク側のデバイスは、ＵＥ（Ｕｓｅｒ  ｅｑｕｉｐｍｅｎｔ，ユーザー機器）によって報告されたＣＳＩに基づいて適切なスケジューリングを実行できる。しかしながら、従来技術の規格によって定義されたフィードバックメカニズムは、シングルポイント伝送およびコヒーレントマルチポイント伝送を対象としており、マルチポイント非コヒーレント伝送をサポートできない。すなわち、従来技術では、マルチポイント非コヒーレント伝送のＣＳＩを決定するための方法が欠如している。
【課題を解決するための手段】
【０００７】
本発明は、チャネル状態情報を決定するための方法を提供する。当該方法は、
ネットワーク側のデバイスは、チャネル状態情報（ＣＳＩ）の測定モードを決定するステップと、
前記ネットワーク側のデバイスは、測定モードに従ってＮ個のＣＳＩ−ＲＳ（Ｃｈａｎｎｅｌ  Ｓｔａｔｅ  Ｉｎｆｏｒｍａｔｉｏｎ−ｒｅｆｅｒｅｎｃｅ  ｓｉｇｎａｌ，チャネル状態情報参照信号）リソースを決定するステップとを備え、
前記測定モードは、ネットワーク側デバイスが、Ｍ個のＤＭＲＳ（Ｄｅｍｏｄｕｌａｔｉｏｎ  Ｒｅｆｅｒｅｎｃｅ  Ｓｉｇｎａｌ，復調参照信号）ポートグループに対応する送受信ポイントを介してＭ個のコードワードを使用して送信を実行し、ここで、Ｍは１より大きいか等しく、各コードワードは１つのＤＭＲＳポートグループに対応し、
Ｎ個の前記ＣＳＩ−ＲＳリソースは、Ｍ個のコードワードに対応する伝送チャネルのチャネル状態情報（ＣＳＩ）を決定するために端末によって使用され、前記コードワードに対応する伝送チャネルは、前記コードワードの送受信ポイントから前記端末への伝送チャネルであり、前記ＭはＮ以下である。
【０００８】
本発明の実施形態では、ネットワーク側デバイスは、最初に測定モードを決定し、異なる測定モードに従って異なるリソースを決定し、異なるリソースは異なる機能を有する。上記の方法を通じて、本発明の実施形態は、マルチポイント非コヒーレント伝送に適したＣＳＩを決定するための方法を提供することができる。
【０００９】
さらに、前記ネットワーク側のデバイス測定モードに従ってＮ個のＣＳＩ−ＲＳリソースを決定した後、
前記ネットワーク側のデバイスは、Ｎ個の前記ＣＳＩ−ＲＳリソースに対応する表示情報を決定し、Ｎ個の前記ＣＳＩ−ＲＳリソースに対応する表示情報は、前記端末根据Ｎ個の前記ＣＳＩ−ＲＳリソースに従がってＭ個のコードワードに対応する伝送チャネルのチャネル状態情報（ＣＳＩ）を決定するために端末を示すために使用され、
前記ネットワーク側のデバイスは、前記Ｎ個の前記ＣＳＩ−ＲＳリソースに対応する表示情報を前記端末に送信する。
【００１０】
さらに、前記ネットワーク側のデバイスがＮ個の前記ＣＳＩ−ＲＳリソースに対応する表示情報を前記端末に送信することは、
前記ネットワーク側のデバイスは、Ｎ個の前記ＣＳＩ−ＲＳリソースに対応する表示情報をＣＳＩ−ＲＳ測定リソースパラメータに追加し、前記ネットワーク側のデバイスは、前記ＣＳＩ−ＲＳ測定リソースパラメータを前記端末に送信し、ここで、前記ＣＳＩ−ＲＳ測定リソースパラメータは、前記ＣＳＩ−ＲＳ測定リソースパラメータに従がって測定する端末を示すために使用され、または、
前記ネットワーク側のデバイス高位層のシグナリングを介してＮ個の前記ＣＳＩ−ＲＳリソースに対応する表示情報を前記端末に通知し、または、
前記ネットワーク側のデバイスは、物理ダウンリンクシグナリングを介してＮ個の前記ＣＳＩ−ＲＳリソースに対応する表示情報を前記端末に通知することを含む。
【００１１】
さらに、前記ネットワーク側のデバイス測定モードに従ってＮ個のＣＳＩ−ＲＳリソースを決定した後、
前記ネットワーク側のデバイスは、ＣＳＩ−ＲＳ構成情報を決定し、前記ＣＳＩ−ＲＳ構成情報は、ＣＳＩ−ＲＳ測定リソースパラメータと、前記ＣＳＩ−ＲＳ測定リソースパラメータに対応するレポートフィードバックパラメータとを含み、前記ＣＳＩ−ＲＳ測定リソースパラメータは、Ｎ個の前記ＣＳＩ−ＲＳリソースに対応する表示情報を含み、前記レポートフィードバックパラメータは、ＣＳＩの測定後に端末によってレポートされたコンテンツとフィードバックモードを示すために使用され、
前記ネットワーク側のデバイスは、前記ＣＳＩ−ＲＳ構成情報を前記端末に送信する。
【００１２】
さらに、前記表示情報は、第１の表示情報、第２の表示情報、第３の表示情報のうちの任意の１つまたは複数を含み、
各ＣＳＩ−ＲＳリソースについて、前記第１の表示情報は、前記コードワードに対応する伝送チャネルのチャネル推定値を推定するために前記端末を示すために使用され、
各ＣＳＩ−ＲＳリソースについて、前記第２の表示情報は、前記端末が他のＣＳＩ−ＲＳリソースに対応するコードワードを受信するときに、前記ＣＳＩ−ＲＳリソースに対応するコードワードによって生成される端末との干渉の干渉推定値を推定するために前記端末を示すために使用され、
各ＣＳＩ−ＲＳリソースについて、前記第３の表示情報は前記端末が受信したノイズを推定するために前記端末を示すために使用され、および／または
前記第３の表示情報は、前記端末との間の他の干渉の干渉推定値を推定するために前記端末を示すために使用される。
【００１３】
本発明の実施形態は、チャネル状態情報を決定するための装置をさらに提供する。前記チャネル状態情報を決定するための装置は、
チャネル状態情報（ＣＳＩ）の測定モードを決定するように構成された測定モード決定ユニットであって、前記測定モードは、前記ネットワーク側のデバイスが、Ｍ個の復調参照信号ポートグループ（ＤＭＲＳ）ポートグループに対応する送受信ポイントを介してＭ個のコードワードを使用して送信を実行することであり、ここで、Ｍは１より大きいか等しく、各コードワードは１つのＤＭＲＳポートグループに対応する前記測定モード決定ユニットと、
Ｎ個のＣＳＩ−ＲＳリソースを決定するように構成されたリソース決定ユニットであって、Ｎ個の前記ＣＳＩ−ＲＳリソースは、Ｍ個のコードワードに対応する伝送チャネルのチャネル状態情報（ＣＳＩ）を決定するために端末によって使用され、前記コードワードに対応する伝送チャネルは、前記コードワードの送受信ポイントから前記端末への伝送チャネルであり、前記ＭはＮ以下である前記リソース決定ユニットとを含む。
【００１４】
本発明の実施形態では、測定モード決定ユニットおよびリソース決定ユニットは、マルチポイント非コヒーレント送信のためにリソースを構成することができ、その結果、端末は、リソースを利用して、マルチポイント非コヒーレント伝送で伝送されたＣＳＩを決定することができる。
【００１５】
さらに、前記リソース決定ユニットは具体的に、
Ｎ個の前記ＣＳＩ−ＲＳリソースに対応する表示情報を決定し、Ｎ個の前記ＣＳＩ−ＲＳリソースに対応する表示情報は、前記端末根据Ｎ個の前記ＣＳＩ−ＲＳリソースに従がってＭ個のコードワードに対応する伝送チャネルのチャネル状態情報（ＣＳＩ）を決定するために端末を示すために使用され、
前記Ｎ個の前記ＣＳＩ−ＲＳリソースに対応する表示情報を前記端末に送信する。
【００１６】
さらに、前記リソース決定ユニットは具体的に、
Ｎ個の前記ＣＳＩ−ＲＳリソースに対応する表示情報をＣＳＩ−ＲＳ測定リソースパラメータに追加し、前記ネットワーク側のデバイスは、前記ＣＳＩ−ＲＳ測定リソースパラメータを前記端末に送信し、ここで、前記ＣＳＩ−ＲＳ測定リソースパラメータは、前記ＣＳＩ−ＲＳ測定リソースパラメータに従がって測定する端末を示すために使用され、または、
高位層のシグナリングを介してＮ個の前記ＣＳＩ−ＲＳリソースに対応する表示情報を前記端末に通知し、または、
物理ダウンリンクシグナリングを介してＮ個の前記ＣＳＩ−ＲＳリソースに対応する表示情報を前記端末に通知する。
【００１７】
さらに、前記リソース決定ユニットは具体的に、
１つのＣＳＩ−ＲＳ構成情報を決定し、前記ＣＳＩ−ＲＳ構成情報は、ＣＳＩ−ＲＳ測定リソースパラメータと、前記ＣＳＩ−ＲＳ測定リソースパラメータに対応するレポートフィードバックパラメータとを含み、前記ＣＳＩ−ＲＳ測定リソースパラメータは、Ｎ個の前記ＣＳＩ−ＲＳリソースに対応する表示情報を含み、前記レポートフィードバックパラメータは、ＣＳＩの測定後に端末によってレポートされたコンテンツとフィードバックモードを示すために使用され、
前記ＣＳＩ−ＲＳ構成情報を前記端末に送信する。
【００１８】
さらに、前記表示情報は、第１の表示情報、第２の表示情報、第３の表示情報のうちの任意の１つまたは複数を含み、
各ＣＳＩ−ＲＳリソースについて、前記第１の表示情報は、前記コードワードに対応する伝送チャネルのチャネル推定値を推定するために前記端末を示すために使用され、
各ＣＳＩ−ＲＳリソースについて、前記第２の表示情報は、前記端末が、他のＣＳＩ−ＲＳリソースに対応するコードワードを受信するときに、前記ＣＳＩ−ＲＳリソースに対応するコードワードによって生成される端末との干渉の干渉推定値を推定するために端末を示すために使用され、
各ＣＳＩ−ＲＳリソースについて、前記第３の表示情報は前記端末が受信したノイズを推定するために前記端末を示すために使用され、および／または
前記第３の表示情報は、前記端末との間の他の干渉の干渉推定値を推定するために前記端末を示すために使用される。
【００１９】
本発明の実施形態は、電子デバイスをさらに提供する。前記電子デバイスは、
少なくとも１つのプロセッサと、
前記少なくとも１つのプロセッサに通信可能に接続されたメモリとを含み、
前記メモリは、前記少なくとも１つのプロセッサによって実行可能な命令を記憶し、前記命令は、前記少なくとも１つのプロセッサによって実行され、前記少なくとも１つのプロセッサが上記の方法のいずれかを実行できるようにする。
【００２０】
本発明の実施形態は、コンピュータに上記の方法のいずれかを実行させるように構成された、コンピュータ命令を格納する非一時的なコンピュータ可読記憶媒体をさらに提供する。
【００２１】
本発明は、チャネル状態情報を決定するための方法をさらに提供する。前記方法は、
端末は、ネットワーク側のデバイスによって送信されたＮ個のＣＳＩ−ＲＳリソースを受信するステップと、Ｎ個の前記ＣＳＩ−ＲＳリソースは、チャネル状態情報（ＣＳＩ）の測定モードに従ってネットワーク側のデバイスによって決定され、前記測定モードは、前記ネットワーク側のデバイスが、Ｍ個の復調参照信号ポートグループ（ＤＭＲＳ）ポートグループに対応する送受信ポイントを介してＭ個のコードワードを使用して送信を実行することであり、ここで、Ｍは１より大きいか等しく、各コードワードは１つのＤＭＲＳポートグループに対応し、
前記端末は、Ｎ個の前記ＣＳＩ−ＲＳリソースに従がってＭ個のコードワードに対応する伝送チャネルのチャネル状態情報（ＣＳＩ）を決定し、前記伝送チャネルは、前記コードワードの送受信ポイントから端末への伝送チャネルであり、ここで、Ｍは、Ｎ以下である。
【００２２】
本発明の実施形態では、端末は、ネットワーク側によって設定されたＮ個のＣＳＩ−ＲＳリソースに従ってＭ個のコードワードに対応する伝送チャネルのＣＳＩを決定し、本発明の実施形態は、マルチポイント非コヒーレント伝送に適したＣＳＩを決定するための方法を提供する。
【００２３】
さらに、前記端末が、Ｎ個の前記ＣＳＩ−ＲＳリソースに従がってＭ個のコードワードに対応する伝送チャネルのチャネル状態情報（ＣＳＩ）を決定することは、以下のうちの任意の１つまたは複数を含み、
各ＣＳＩ−ＲＳリソースについて、前記端末は、前記ＣＳＩ−ＲＳリソースに従って前記コードワードに対応する伝送チャネルのチャネル推定値を推定し、
各ＣＳＩ−ＲＳリソースについて、前記端末は、前記ＣＳＩ−ＲＳリソースに従って他のＣＳＩ−ＲＳリソースに対応するコードワードを受信したときに、前記ＣＳＩ−ＲＳリソースに対応するコードワードによって生成される端末との干渉の干渉推定値を推定し、
各ＣＳＩ−ＲＳリソースについて、前記端末は、前記ＣＳＩ−ＲＳリソースに従って前記端末によって受信されたノイズを推定し、
各ＣＳＩ−ＲＳリソースについて、前記端末は、前記ＣＳＩ−ＲＳリソースに従って前記端末によって受信された他の干渉の干渉推定値を推定する。
【００２４】
さらに、前記方法ではさらに、
前記端末は、Ｎ個の前記ＣＳＩ−ＲＳリソースに対応する表示情報を取得し、前記表示情報は、第１の表示情報、第２の表示情報、および第３の表示情報のうちの任意の１つまたは複数を含み、
各ＣＳＩ−ＲＳリソースについて、前記端末が、前記ＣＳＩ−ＲＳリソースに従って前記コードワードに対応する伝送チャネルのチャネル推定値を推定することは、具体的に、
前記端末は、前記第１の表示情報および前記ＣＳＩ−ＲＳリソースに従って前記コードワードに対応する伝送チャネルのチャネル推定値を推定し、ここで、前記第１の表示情報は、前記コードワードに対応する伝送チャネルのチャネル推定値を推定するために前記端末を示すために使用され、
各ＣＳＩ−ＲＳリソースについて、前記端末は、前記ＣＳＩ−ＲＳリソースに従って他のＣＳＩ−ＲＳリソースに対応するコードワードを受信したときに、前記ＣＳＩ−ＲＳリソースに対応するコードワードによって生成される端末との干渉の干渉推定値を推定することは、具体的、
前記端末は、前記第２の表示情報および前記ＣＳＩ−ＲＳリソースに従い、他のＣＳＩ−ＲＳリソースに対応するコードワードを受信したときに、前記ＣＳＩ−ＲＳリソースに対応するコードワードによって生成される端末との干渉の干渉推定値を推定し、ここで、前記第２の表示情報は、前記端末在他のＣＳＩ−ＲＳリソースに対応するコードワードを受信したときに、受到的前記ＣＳＩ−ＲＳリソースに対応するコードワードによって生成された端末との干渉の干渉推定値を推定する端末を示すために使用され、
各ＣＳＩ−ＲＳリソースについて、前記端末が、前記ＣＳＩ−ＲＳリソースに従って前記端末によって受信されたノイズを推定することは、具体的に、
前記端末は、前記第３の表示情報以及前記ＣＳＩ−ＲＳリソースに従って前記端末によって受信されたノイズを推定し、ここで、前記第３の表示情報、
各ＣＳＩ−ＲＳリソースについて、前記端末が、前記ＣＳＩ−ＲＳリソースに従って前記端末によって受信された他の干渉の干渉推定値を推定することは、具体的に、
前記端末は、前記第３の表示情報以及前記ＣＳＩ−ＲＳリソースに従って前記端末によって受信された他の干渉の干渉推定値を推定し、ここで、前記第３の表示情報は、前記端末によって受信された他の干渉の干渉推定値を推定するために前記端末を示すためにさらに使用される。
【００２５】
さらに、前記端末が、Ｎ個の前記ＣＳＩ−ＲＳリソースに対応する表示情報を取得することは、具体的に、
前記端末は、前記ネットワーク側のデバイスによって送信されたＣＳＩ−ＲＳ測定リソースパラメータを受信し、前記ＣＳＩ−ＲＳ測定リソースパラメータは、Ｎ個の前記ＣＳＩ−ＲＳリソースに対応する表示情報を含み、または、
前記端末は、前記ネットワーク側のデバイスによって送信された高位層シグナリングを受信し、前記高位層シグナリングは、Ｎ個の前記ＣＳＩ−ＲＳリソースに対応する表示情報を含み、または、
前記端末は、前記ネットワーク側のデバイスによって送信された物理ダウンリンクシグナリングを受信し、前記物理ダウンリンクシグナリングは、Ｎ個の前記ＣＳＩ−ＲＳリソースに対応する表示情報を含む。
【００２６】
さらに、前記端末が、Ｎ個の前記ＣＳＩ−ＲＳリソースに対応する表示情報を取得することは、具体的に、
前記端末は、受信した前記ＣＳＩ−ＲＳリソースの数、およびＣＳＩ−ＲＳリソースの数と表示情報との間のバインディング関係に従ってＮ個の前記ＣＳＩ−ＲＳリソースに対応する表示情報を決定する。
【００２７】
さらに、各コードワードについて、前記ＣＳＩは、前記コードワードに対応するＣＳＩ−ＲＳリソースに対応するＰＭＩ（Ｐｒｅｃｏｄｉｎｇ  Ｍａｔｒｉｘ  Ｉｎｄｉｃａｔｏｒ，プリコーディング・マトリックス・インジケータ）と、前記コードワードに対応するＣＳＩ−ＲＳリソースに対応するＲＩ（ＲａｎｋＩｎｄｉｃａｔｉｏｎ，ランク・インジケータ）と、前記コードワードに対応するＣＱＩ（Ｃｈａｎｎｅｌ  Ｑｕａｌｉｔｙ  Ｉｎｄｉｃａｔｏｒ，チャネル品質インジケータ）とを含む。
【００２８】
さらに、前記端末が、Ｎ個の前記ＣＳＩ−ＲＳリソースに従がって確定Ｍ個の前記コードワードに対応する伝送チャネルのチャネル状態情報（ＣＳＩ）を決定することは、具体的に、
前記端末は、仮定条件およびＮ個の前記ＣＳＩ−ＲＳリソースに従ってＭ個の前記コードワードに対応する伝送チャネルのチャネル状態情報（ＣＳＩ）を決定し、
ここで、前記仮定条件は、
各ＣＳＩ−ＲＳリソースについて、前記端末は、前記ＣＳＩ−ＲＳリソースに対応するＤＭＲＳポートグループを介して送信された前記ＣＳＩ−ＲＳリソースに対応するコードワードが、前記ＣＳＩ−ＲＳリソースに対応するＰＭＩ／ＲＩを使用し、前記ＤＭＲＳポートグループに対応する送受信ポイントを介して前記端末に送信されると、想定することである。
【００２９】
さらに、前記仮定条件は、
各ＣＳＩ−ＲＳリソースについて、前記端末は、他のＤＭＲＳポートグループに対応するコードワードを受信したときに、前記ＤＭＲＳポートグループに対応するコードワードによって生成された干渉が前記ＣＳＩ−ＲＳリソースに対応するＰＭＩ／ＲＩを使用し、前記ＤＭＲＳポートグループに対応する送受信ポイントを介して前記端末に送信すると、想定することをさらに含む。
【００３０】
さらに、前記端末が、Ｎ個の前記ＣＳＩ−ＲＳリソースに従がってＭ個のコードワードに対応する伝送チャネルのチャネル状態情報（ＣＳＩ）を決定することは、具体的に、
前記端末は、Ｎ個の前記ＣＳＩ−ＲＳリソースに従がってＮ個のコードワードに対応する伝送チャネルのチャネル状態情報（ＣＳＩ）を決定し、
前記端末は、Ｍ個のコードワードに対応する伝送チャネルのチャネル状態情報（ＣＳＩ）レポートし、
または、
前記端末は、Ｎ個の前記ＣＳＩ−ＲＳリソースのうちのＭ個の前記ＣＳＩ−ＲＳリソースに従ってＭ個のコードワードに対応する伝送チャネルのチャネル状態情報（ＣＳＩ）を決定し、Ｍ個の前記ＣＳＩ−ＲＳリソースは、Ｍ個のコードワードに対応し、
前記端末は、Ｍ個のコードワードに対応する伝送チャネルのチャネル状態情報（ＣＳＩ）レポートする。
本発明の実施形態は、チャネル状態情報を決定するための装置をさらに提供する。前記装置は、
ネットワーク側のデバイスによって送信されたＮ個のＣＳＩ−ＲＳリソースを受信するように構成された受信ユニットであって、Ｎ個の前記ＣＳＩ−ＲＳリソースは、チャネル状態情報（ＣＳＩ）の測定モードに従ってネットワーク側のデバイスによって決定され、前記測定モードは、前記ネットワーク側のデバイスが、Ｍ個の復調参照信号ポートグループ（ＤＭＲＳ）ポートグループに対応する送受信ポイントを介してＭ個のコードワードを使用して送信を実行することであり、ここで、Ｍは１より大きいか等しく、各コードワードは１つのＤＭＲＳポートグループに対応する前記受信ユニットと、
Ｎ個の前記ＣＳＩ−ＲＳリソースに従ってＭ個のコードワードに対応する伝送チャネルのチャネル状態情報（ＣＳＩ）を決定するように構成されたＣＳＩ決定ユニットであって、前記伝送チャネルは、前記コードワードの送受信ポイントから端末への伝送チャネルであり、ここで、Ｍは、Ｎ以下である前記ＣＳＩ決定ユニットとを含む。
【００３１】
本発明の実施形態では、構成されたリソースは、受信ユニットによって受信され、マルチポイント非コヒーレント伝送モードのＣＳＩは、構成されたリソースを介してＣＳＩ決定ユニットによって決定される。
【００３２】
さらに、前記ＣＳＩ決定ユニットは具体的に、Ｎ個の前記ＣＳＩ−ＲＳリソースに従ってＭ個のコードワードに対応する伝送チャネルのチャネル状態情報（ＣＳＩ）を決定し、以下のうちの任意の１つまたは複数を含み、
各ＣＳＩ−ＲＳリソースについて、前記ＣＳＩ−ＲＳリソースに従って前記コードワードに対応する伝送チャネルのチャネル推定値を推定し、
各ＣＳＩ−ＲＳリソースについて、前記ＣＳＩ−ＲＳリソースに従って他のＣＳＩ−ＲＳリソースに対応するコードワードを受信したときに、前記ＣＳＩ−ＲＳリソースに対応するコードワードによって生成される端末との干渉の干渉推定値を推定し、
各ＣＳＩ−ＲＳリソースについて、前記ＣＳＩ−ＲＳリソースに従って前記端末によって受信されたノイズを推定し、
各ＣＳＩ−ＲＳリソースについて、前記ＣＳＩ−ＲＳリソースに従って前記端末によって受信された他の干渉の干渉推定値を推定する。
【００３３】
さらに、前記受信ユニットはさらに、
Ｎ個の前記ＣＳＩ−ＲＳリソースに対応する表示情報を取得し、前記表示情報は、第１の表示情報、第２の表示情報、および第３の表示情報のうちの任意の１つまたは複数を含み、
前記ＣＳＩ決定ユニットは具体的に、
各ＣＳＩ−ＲＳリソースについて、前記第１の表示情報および前記ＣＳＩ−ＲＳリソースに従って前記コードワードに対応する伝送チャネルのチャネル推定値を推定し、ここで、前記第１の表示情報は、前記コードワードに対応する伝送チャネルのチャネル推定値を推定するために前記端末を示すために使用され、
各ＣＳＩ−ＲＳリソースについて、前記第２の表示情報および前記ＣＳＩ−ＲＳリソースに従がい、他のＣＳＩ−ＲＳリソースに対応するコードワードを受信したときに、前記ＣＳＩ−ＲＳリソースに対応するコードワードによって生成される端末との干渉の干渉推定値を推定し、ここで、前記第２の表示情報は、前記端末が、他のＣＳＩ−ＲＳリソースに対応するコードワードを受信するときに、前記ＣＳＩ−ＲＳリソースに対応するコードワードによって生成される端末との干渉の干渉推定値を推定するために端末を示すために使用され、
各ＣＳＩ−ＲＳリソースについて、前記第３の表示情報および前記ＣＳＩ−ＲＳリソースに従って前記端末によって受信されたノイズを推定し、ここで、前記第３の表示情報は、前記端末によって受信されたノイズを推定するために前記端末を示すために使用され、
各ＣＳＩ−ＲＳリソースについて、前記第３の表示情報および前記ＣＳＩ−ＲＳリソースに従って前記端末によって受信された他の干渉の干渉推定値を推定し、ここで、前記第３の表示情報は、前記端末によって受信された他の干渉の干渉推定値を推定するために前記端末を示すためにさらに使用される。
【００３４】
さらに、前記受信ユニットは具体的に、
接收前記ネットワーク側のデバイスによって送信されたＣＳＩ−ＲＳ測定リソースパラメータを受信し前記ＣＳＩ−ＲＳ測定リソースパラメータは、Ｎ個の前記ＣＳＩ−ＲＳリソースに対応する表示情報を含み、または、
前記ネットワーク側のデバイスによって送信された高位層シグナリングを受信し、前記高位層シグナリングは、Ｎ個の前記ＣＳＩ−ＲＳリソースに対応する表示情報を含み、または、
前記ネットワーク側のデバイスによって送信された物理ダウンリンクシグナリングを受信し、前記物理ダウンリンクシグナリングは、Ｎ個の前記ＣＳＩ−ＲＳリソースに対応する表示情報を含む。
【００３５】
さらに、前記受信ユニットは具体的に、
受信した前記ＣＳＩ−ＲＳリソースの数、およびＣＳＩ−ＲＳリソースの数と表示情報との間のバインディング関係に従い、Ｎ個の前記ＣＳＩ−ＲＳリソースに対応する表示情報を決定する。
【００３６】
さらに、各コードワードについて、前記ＣＳＩは、前記コードワードに対応するＣＳＩ−ＲＳリソースに対応するプリコーディング・マトリックス・インジケータ（ＰＭＩ）と、前記コードワードに対応するＣＳＩ−ＲＳリソースに対応するランク・インジケータ（ＲＩ）と、前記コードワードに対応するチャネル品質インジケータＣＱＩとを含む。
【００３７】
さらに、前記ＣＳＩ決定ユニットは具体的に、
仮定条件およびＮ個の前記ＣＳＩ−ＲＳリソースに従い、Ｍ個の前記コードワードに対応する伝送チャネルのチャネル状態情報（ＣＳＩ）を決定し、
ここで、前記仮定条件は、
各ＣＳＩ−ＲＳリソースについて、前記ＣＳＩ−ＲＳリソースに対応するＤＭＲＳポートグループを介して送信された前記ＣＳＩ−ＲＳリソースに対応するコードワードが、前記ＣＳＩ−ＲＳリソースに対応するＰＭＩ／ＲＩを使用し、通過前記ＤＭＲＳポートグループに対応する送受信ポイントを介して前記端末に送信されると、想定することである。
さらに、前記仮定条件は、さらに、
各ＣＳＩ−ＲＳリソースについて、他のＤＭＲＳポートグループに対応するコードワードを受信したときに、前記ＤＭＲＳポートグループに対応するコードワードの干渉が、前記ＣＳＩ−ＲＳリソースに対応するＰＭＩ／ＲＩを使用し、通過前記ＤＭＲＳポートグループに対応する送受信ポイントを介して前記端末に送信されると、想定することをさらに含む。
【００３８】
さらに、前記ＣＳＩ決定ユニットは具体的に、
Ｎ個の前記ＣＳＩ−ＲＳリソースに従ってＮ個のコードワードに対応する伝送チャネルのチャネル状態情報（ＣＳＩ）を決定し、
Ｍ個のコードワードに対応する伝送チャネルのチャネル状態情報（ＣＳＩ）をレポートし、
または、
Ｎ個の前記ＣＳＩ−ＲＳリソースうちのＭ個の前記ＣＳＩ−ＲＳリソースに従って、Ｍ個のコードワードに対応する伝送チャネルのチャネル状態情報（ＣＳＩ）を決定し、
Ｍ個のコードワードに対応する伝送チャネルのチャネル状態情報（ＣＳＩ）をレポートする。
【００３９】
本発明の実施形態は、電子デバイスをさらに提供する。前記電子デバイスは、
少なくとも１つのプロセッサと、
前記少なくとも１つのプロセッサに通信可能に接続されたメモリとを含み、
前記メモリは、前記少なくとも１つのプロセッサによって実行可能な命令を記憶し、前記命令は、前記少なくとも１つのプロセッサによって実行され、前記少なくとも１つのプロセッサが上記の方法のいずれかを実行できるようにする。
【００４０】
本発明の実施形態は、コンピュータに上記の方法のいずれかを実行させるように構成された、コンピュータ命令を格納する非一時的なコンピュータ可読記憶媒体をさらに提供する。
【００４１】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図面の簡単な説明】
【００４２】
【図１】本発明の実施形態によって提供される通信アーキテクチャの構造概略図である。
【図２】本発明の実施形態によって提供される通信アーキテクチャの構造概略図である。
【図３】本発明の実施形態によって提供されるチャネル状態情報を決定するための方法のフローチャートの概略図である。
【図４】本発明の実施形態によって提供されるチャネル状態情報を決定するための方法のフローチャートの概略図である。
【図５】本発明の実施形態によって提供されるＣＳＩ−ＲＳ構成情報の構造概略図である。
【図６】本発明の実施形態によって提供されるチャネル状態情報を決定するための方法のフローチャートの概略図である。
【図７】本発明の実施形態によって提供されるチャネル状態情報を決定するための装置の構造概略図である。
【図８】本発明の実施形態によって提供される電子デバイスの構造概略図である。
【図９】本発明の実施形態によって提供されるチャネル状態情報を決定するための方法のフローチャートの概略図である。
【図１０】本発明の実施形態によって提供されるチャネル状態情報を決定するための装置の構造概略図である。
【図１１】本発明の実施形態によって提供される電子デバイスの構造概略図である。
【発明を実施するための形態】
【００４３】
以下に本発明に係る実施形態において図面を結合して本発明の実施形態における技術方案について詳細に、完全に説明するが、次に陳述する実施形態は単に本発明のいくつかの実施形態であり、その全てではない。本分野の一般の技術者にとって、創造性的労働をしなくても、これらの実施形態に基づいてその他の実施形態を容易に獲得することができ、全て本発明の保護範囲に属することは明白である。
【００４４】
図１を参照されたい。図１は、本発明の実施形態に含まれる通信システムのアーキテクチャ概略図である。通信システムは、ネットワーク側のデバイス１０１および端末１０２を含み、端末１０２およびネットワーク側のデバイス１０１は、特定のエアインターフェース技術を介して互いに通信する。エアインターフェース技術には、２Ｇ（Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）など）、３Ｇ（ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＴＤ−ＳＣＤＭＡ（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ）、４Ｇ（ＦＤＤ  ＬＴＥ、ＴＤＤ  ＬＴＥなど）、および新しいＲＡＴ（Ｒａｄｉｏ  Ａｃｃｅｓｓ  Ｔｅｃｈｎｏｌｏｇｙ，無線アクセス技術）システム（５Ｇシステムなど）が含まれる。
【００４５】
本発明の実施形態で説明される端末１０２は、一般的な意味でＵＥとして導入される。さらに、端末１０２は、移動局、アクセス端末、ユーザユニット、ユーザ局、移動局、遠隔局、遠隔端末、モバイルデバイス、ユーザ端末、ユーザ機器、無線通信デバイス、ユーザエージェント、またはユーザー機器など。ユーザー機器は、携帯電話、コードレス電話、セッション開始プロトコル（Ｓｅｓｓｉｏｎ  Ｉｎｉｔｉａｔｉｏｎ  Ｐｒｏｔｏｃｏｌ，ＳＩＰ）電話、ワイヤレスローカルループ（ＷｉｒｅｌｅｓｓＬｏｃａｌ  Ｌｏｏｐ，ＷＬＬ）ステーション、パーソナルデジタルアシスタント（Ｐｅｒｓｏｎａｌ  Ｄｉｇｉｔａｌ  Ａｓｓｉｓｔａｎｔ，ＰＤＡ）、ワイヤレス通信機能を備えたハンドヘルドデバイス、ワイヤレスモデムに接続されたコンピューティングデバイスまたはその他の処理デバイス、車載デバイス、ウェアラブルデバイス、５Ｇネットワークのモバイルステーション、または将来進化するパブリックランドモバイルネットワーク（Ｐｕｂｌｉｃ  ＬａｎｄＭｏｂｉｌｅＮｅｔｗｏｒｋ，ＰＬＭＮ）ネットワークのユーザー機器である可能性がある。さらに、本発明の実施形態では、端末１０２はまた、ネットワーク側のデバイス１０１（例えば、基地局）とのデータ通信を実行することができるリレーまたは他のデバイスを含み得る。
【００４６】
図２は、本発明の実施形態によって提供される別の応用シナリオの概略図である。図２は、高密度の送受信ポイント（Ｔｒａｎｓｍｉｓｓｉｏｎ／Ｒｅｃｅｐｔｉｏｎ  Ｐｏｉｎｔ，ＴＲＰ）によって形成されたハイパーセル（ｈｙｐｅｒｃｅｌｌ）を示している。図２に示すように、高密度ＴＲＰ送信シナリオでは、１つの端末１０２が複数の送受信ポイントと通信して、ユーザ機器を中心とした通信システム（ＵＥ−ｃｅｌｌｃｅｎｔｅｒ−ｌｉｋｅ，ＵＥセルセンター様）を形成することができる。一般に、位置が隣接する複数の送受信ポイントをグループに分割して、図の円で示されている送受信ポイントのグループを形成できる。これは、ＴＲＰセット（ＴＲＰ  Ｓｅｔ）または協調送信コレクションと呼ばれます。なお、ＴＲＰセットの分割方法は、場所に基づく分割方法に限定されるものではなく、他の分割方法もあり得る。例えば、相関の強いＴＲＰは、以下に限定されないセットに分割され、本発明の実施形態は、これを限定しない。
【００４７】
特定の実装形態では、送受信ポイントは、ＧＳＭシステムまたはＣＤＭＡシステムの基地局（Ｂａｓｅ  ＴｒａｎｓｃｅｉｖｅｒＳｔａｔｉｏｎ，ＢＴＳ）、またはＷＣＤＭＡ（登録商標）システムのノードＢ（ＮｏｄｅＢ）、またはＬＴＥシステムの進化ノードＢ（ＥｖｏｌｖｅｄＮｏｄｅ  Ｂ，ｅＮＢまたはｅＮｏｄｅＢ，ｅノードＢ）であり得る。または本発明の実施形態に限定されない５Ｇネットワーク内の基地局またはマイクロ基地局などのネットワーク機器であり得る。
【００４８】
任意選択で、本発明の一実施形態では、各送受信ポイントは、各調整されたＴＲＰ（Ｔｒａｎｓｍｉｓｓｉｏｎ／Ｒｅｃｅｉｐｔｉｏｎ  Ｐｏｉｎｔ、送信／受信ポイント）であり得るか、または各調整されたアンテナアレイ（ｐａｎｅｌ，パネル）であり得る。
【００４９】
本発明の一実施形態では、複数のＴＲＰ／パネルが協調送信を実行する場合、異なるＴＲＰ／パネルによって送信される信号は、比較的独立した大規模な特徴、例えば、平均遅延、遅延拡散、平均ドップラー、ドップラー拡散および空間領域受信パラメータを有し得る。したがって、ＮＲシステムでは、２つ以上の参照信号チャネルの大規模パラメータが同じである場合をＱＣＬ（Ｑｕａｓｉ  Ｃｏ−Ｌｏａｃｔｅｄ，準コロケーション）と呼ぶ。それ以外の場合は、非ＱＣＬと呼ぶ。
【００５０】
任意選択で、本発明の一実施形態では、前記ＤＭＲＳポートグループ内のすべてのＤＭＲＳポートは、ＱＣＬ関係を有し、すなわち、グループ内のすべてのＤＭＲＳポートは、ＱＣＬである。
【００５１】
任意選択で、本発明の一実施形態では、同じＣＤＭ（Ｃｏｄｅ  Ｄｉｖｉｓｉｏｎ  Ｍｕｌｔｉｐｌｅｘｉｎｇ，符号分割多重化）グループ内のＤＭＲＳポートもまた、ＱＣＬ関係を有する。
任意選択で、本発明の一実施形態では、各データチャネルは、最大で２つのＤＭＲＳポートグループをサポートする。
【００５２】
任意選択で、本発明の一実施形態では、１つのＤＭＲＳポートグループは、１つまたは２つの送受信ポイントを介して送信され得、２つの送受信ポイントに対応するＤＭＲＳポートもまた、ＱＣＬ関係を有する。
【００５３】
図２に示されるシステムによれば、端末１０２は、複数の送受信ポイントを介して送信する。協調マルチポイント（ＣｏＭＰ）伝送モードでは、従来技術は、マルチポイント非コヒーレント伝送技術（ＮＣ−ＪＴ）に適したＣＳＩ決定方法を提供することができない。
【００５４】
任意選択で、本発明の一実施形態では、最大２つのコードワードを送信する場合を例にとると、ＮＣ−ＪＴは、以下の場合に大まかに分けることができる。
ケース１：各ダウンリンク物理ダウンリンク制御チャネル（ＰＤＣＣＨ）は、それぞれの物理ダウンリンク共有チャネル（ＰＤＳＣＨ）をスケジューリングし、異なるＰＤＳＣＨは、異なるＴＲＰ／パネルを介して送信され、各ＴＲＰ／パネルは、１つのＤＭＲＳポートグループに対応する。
ケース２：１つのＰＤＣＣＨが１つのＰＤＳＣＨをスケジューリングする。
【００５５】
任意選択で、本発明の一実施形態では、ケース２は、３つの送信ケースに対応し、これらはそれぞれ、以下のとおりである。
ケース２−１：Ｍ個のコードワードが送信され、各コードワード送信は１つのＴＲＰ／パネルに対応し、各ＴＲＰ／パネルは１つのＤＭＲＳポートグループに対応する。
ケース２−２：１つのコードワードが送信され、この１つのコードワードが２つのＴＲＰ／パネルにマッピングされ、各ＴＲＰ／パネルが１つのＤＭＲＳポートグループに対応する。
ケース２−３：２つのコードワードが送信される。１つのコードワードは２つのＴＲＰ／パネルにマッピングされ、もう１つは１つのＴＲＰ／パネルにマッピングされ、各ＴＲＰ／パネルは１つのＤＭＲＳポートグループに対応する。
【００５６】
任意選択で、本発明の実施形態では、ケース１はマルチポイント非コヒーレント伝送技術であるが、各送受信ポイントの異なるＰＤＳＣＨは、従来技術におけるシングルポイント伝送の場合と同様に、異なるＴＲＰ／パネルを介して送信されるため、既存の規格で定義されているＣＳＩフィードバックメカニズムを使用できる。
ケース２−１の場合、本発明の実施形態は、図３に示されるように、以下を含む、ＣＳＩを決定するための方法を提供する。
ステップ３０１：ネットワーク側のデバイスはチャネル状態情報（ＣＳＩ）の測定モードを決定する。
ステップ３０２：ネットワーク側のデバイスは、測定モードに従ってＮ個のＣＳＩ−ＲＳリソースを決定する
ステップ３０３：ネットワーク側のデバイスは、Ｎ個のＣＳＩ−ＲＳリソースを介してＣＳＩ−ＲＳ信号を端末に送信する。
ステップ３０４：端末は、Ｎ個のＣＳＩ−ＲＳリソースを介してネットワーク側のデバイスによって端末に送信されたＣＳＩ−ＲＳ信号を受信する。
ステップ３０５：端末は、Ｎ個のＣＳＩ−ＲＳリソースによって運ばれるＣＳＩ−ＲＳ信号に従がい、Ｍ個のコードワードに対応する伝送チャネルのＣＳＩを決定する。
【００５７】
ステップ３０２において、ネットワーク側のデバイスは、端末のためにＣＳＩ−ＲＳリソースを構成する必要があるとき、最初に、ＣＳＩのための測定モードを取得する。本発明の実施形態では、測定モードは、ネットワーク側のデバイスが、Ｍ個の復調参照信号ポートグループ（ＤＭＲＳ）ポートグループを介してＭ個のコードワードを使用して送信を実行することであり、ここで、Ｍは１以上であり、各コードワードは１つのＤＭＲＳポートグループに対応する。
【００５８】
本発明の実施形態では、ネットワーク側のデバイスによって決定される測定モードは、ネットワーク側が端末側との通信に使用したいモードを指す。ネットワーク側は、端末側が測定モードに対応する各コードワードのＣＳＩを報告することを要求し、ネットワーク側は、報告されたＣＳＩを介して伝送モードの送信品質を決定し、さらに伝送モードに従って送信を実行するかどうかを決定する。
【００５９】
本発明の実施形態では、ネットワーク側のデバイスによって想定される伝送モードは、ネットワーク側が、Ｍ個のＤＭＲＳポートグループに対応する送受信ポイントを介してＭ個のコードワードを端末に送信し、各ＤＭＲＳポートグループが１つのコードワードに対応することである。
【００６０】
ステップ３０２において、ネットワーク側のデバイスは、測定モードに従ってＮ個のＣＳＩ−ＲＳリソースを決定し、Ｎ個のＣＳＩ−ＲＳリソースは、Ｍ個のコードワードに対応する伝送チャネルのチャネル状態情報（ＣＳＩ）を決定するために端末によって使用され、前記コードワードに対応する伝送チャネルは、前記コードワードの送受信ポイントから前記端末への伝送チャネルであり、前記ＭはＮ以下である。
【００６１】
本発明の実施形態では、Ｍ個のコードワードが測定モードでの送信に使用されると決定されるが、ネットワーク側のデバイスは、端末がＭ個以上のＣＳＩ−ＲＳリソースに従がい、Ｍ個のコードワードに対応する伝送チャネルのＣＳＩをレポートできるように、Ｍ個以上のＣＳＩ−ＲＳリソース構成する。レポートの正確性を確保し、端末のＣＳＩを決定するための多くの方法を提供する。
【００６２】
任意選択で、本発明の一実施形態では、各ＣＳＩ−ＲＳリソースは、１つのコードワードに対応する。すなわち、ネットワーク側のデバイスによって構成されたＮ個のＣＳＩ−ＲＳリソースは、Ｎ個のコードワードに対応する。
【００６３】
ネットワーク側のデバイスは、Ｎ個のＣＳＩ−ＲＳリソースで構成され、ＣＳＩ−ＲＳ信号は、各ＣＳＩ−ＲＳリソースで送信される。端末は、各ＣＳＩ−ＲＳリソースでＣＳＩ−ＲＳ信号を受信し、ＣＳＩ−ＲＳ信号に従ってＭ個のコードワードに対応する伝送チャネルのＣＳＩを決定する。
【００６４】
ステップ３０３において、ネットワーク側のデバイスは、ダウンリンク参照信号を端末に送信する。任意選択で、本発明の一実施形態では、ダウンリンク参照信号は、ＣＳＩ−ＲＳ信号である。
【００６５】
ステップ３０５において、端末は、ＣＳＩ−ＲＳリソースによって運ばれるＣＳＩ−ＲＳ信号を受信することによってＭ個のコードワードに対応する送信チャネルのＣＳＩを決定することができ、またはＣＳＩ−ＲＳリソースによって運ばれるとＣＳＩ−ＲＳリソースに対応する表示情報を受信することにより、Ｍ個のコードワードに対応する伝送チャネルのＣＳＩを決定し、前記ＣＳＩ−ＲＳリソースに対応する表示情報は、端末がＣＳＩ−ＲＳリソースによって運ばれるＣＳＩ−ＲＳ信号を利用してＭ個のコードワードに対応する伝送チャネルのＣＳＩを決定することを示す。
【００６６】
任意選択で、本発明の一実施形態では、ＣＳＩ−ＲＳリソースに対応する表示情報は、ネットワーク側のデバイスによって端末に送信され得るか、または端末自体によって取得され得る。
【００６７】
任意選択で、本発明の一実施形態では、ＣＳＩ−ＲＳリソースに対応する表示情報がネットワーク側のデバイスによって端末に送信される場合、ネットワーク側のデバイスはさらに、Ｎ個のＣＳＩ−ＲＳリソースを決定した後、Ｎ個のＣＳＩ−ＲＳリソースに対応する表示情報を決定する必要があり、Ｎ個のＣＳＩ−ＲＳリソースに対応する表示情報を端末に送信する。
【００６８】
任意選択で、本発明の実施形態では、ネットワーク側のデバイスは、高位層のシグナリングを介してＮ個の前記ＣＳＩ−ＲＳリソースに対応する表示情報を端末に通知する。
【００６９】
任意選択で、本発明の実施形態では、高位層シグナリングは、ＲＲＣ（Ｒａｄｉｏ  Ｒｅｓｏｕｒｃｅ  Ｃｏｎｔｒｏｌ，無線リソース制御）シグナリングである。
【００７０】
任意選択で、本発明の実施形態では、ネットワーク側のデバイスは、物理ダウンリンクシグナリングを介してＮ個の前記ＣＳＩ−ＲＳリソースに対応する表示情報を端末に通知する。
【００７１】
任意選択で、本発明の一実施形態では、物理的ダウンリンクシグナリングは、ＰＤＣＣＨ（Ｐｈｙｓｉｃａｌ  Ｄｏｗｎｌｉｎｋ  Ｃｏｎｔｒｏｌ  Ｃｈａｎｎｅｌ，物理的ダウンリンク制御チャネル）によって運ばれるＤＣＩ（Ｄｏｗｎｌｉｎｋ  Ｃｏｎｔｒｏｌ  Ｉｎｆｏｒｍａｔｉｏｎ，ダウンリンク制御情報）であり得る。
【００７２】
同様に、端末は、ネットワーク側のデバイスによって送信されたＣＳＩ−ＲＳ測定リソースパラメータを受信し、ここで、ＣＳＩ−ＲＳ測定リソースパラメータは、Ｎ個のＣＳＩ−ＲＳリソースに対応する指示情報を含む。または、
端末は、ネットワーク側のデバイスによって送信された高位層のシグナリングを受信する。高位層のシグナリングは、Ｎ個のＣＳＩ−ＲＳリソースに対応する表示情報を含む。または、
端末は、ネットワーク側のデバイスによって送信された物理ダウンリンクシグナリングを受信し、物理ダウンリンクシグナリングは、Ｎ個のＣＳＩ−ＲＳリソースに対応する表示情報を含む。
【００７３】
任意選択で、本発明の一実施形態では、Ｎ個のＣＳＩ−ＲＳリソースを取得した後、端末は、コードワードに対応する伝送チャネルのチャネル推定値を測定し、および／または、他のＣＳＩ−ＲＳリソースに対応するコードワードを受信したときに、前記ＣＳＩ−ＲＳリソースに対応するコードワードによって生成される端末との干渉の干渉推定値を推定し、および／または端末推定前記端末によって受信されたノイズおよび／または前記端末によって受信された他の干渉の干渉推定値を推定する必要がある。したがって、ネットワーク側のデバイスによって決定されるＮ個のＣＳＩ−ＲＳリソースに対応する表示情報は、第１の表示情報、第２の表示情報、および第３の表示情報のうちの任意の１つまたは複数を含み、第１の表示情報は、各ＣＳＩ−ＲＳリソースに対応するコードワードに対応する伝送チャネルのチャネル推定値を推定する端末を示すために使用される。第２の表示情報は、他のＣＳＩ−ＲＳリソースに対応するコードワードを受信したときに、ＣＳＩ−ＲＳリソースに対応するコードワードによって生成される端末との干渉の干渉推定値を推定する端末を示すために使用される。第３の表示情報は、端末によって受信された他の干渉の干渉推定値を推定する端末を示すために使用される。
上記の他のＣＳＩ−ＲＳリソースは、Ｎ個のＣＳＩ−ＲＳリソース以外のリソースを指す。
【００７４】
本発明の実施形態では、端末が他のＣＳＩ−ＲＳリソースに対応するコードワードを受信したときに、ＣＳＩ−ＲＳリソースに対応するコードワードによって生成される干渉は、端末が他のＣＳＩ−ＲＳリソースに対応するコードワードを受信するともに、ＣＳＩ−ＲＳリソースに対応するコードワードも受信することを意味する。当該ＣＳＩ−ＲＳリソースに対応するコードワードを受信すると、他のＣＳＩ−ＲＳリソースに対応するコードワードとの干渉が発生する。
【００７５】
本発明の実施形態では、他の干渉は、他のＣＳＩ−ＲＳリソースに対応するコードワードを受信したときに、当該ＣＳＩ−ＲＳリソースに対応するコードワードによって生成される端末との干渉の干渉推定値以外の干渉を指す。例えば、図２において、ＴＲＰ１から他の端末に送信されるデータは、他の干渉である。
【００７６】
任意選択で、本発明の実施形態では、第３の表示情報は、前記端末によって受信された各層の他の干渉を推定する前記端末を示すために使用される。
【００７７】
本発明の実施形態では、端末によって受信されるノイズは、移動体通信におけるノイズを指し、内部ノイズと外部ノイズに分けることができ、内部ノイズは、主に、端末受信機の固有のノイズを指す。外部ノイズは主に自然ノイズと人工ノイズを指す。
【００７８】
任意選択で、本発明の実施形態では、ネットワーク側のデバイスは、測定モードに従ってＮ個のＣＳＩ−ＲＳリソースを決定した後、ネットワーク側のデバイスは、１つのＣＳＩ−ＲＳ構成情報を構成する。ＣＳＩ−ＲＳ構成情報は、端末がＣＳＩ−ＲＳリソースを利用して、どのＣＳＩ情報を測定してネットワーク側のデバイスに報告するかを示すために使用される。
【００７９】
ＣＳＩ−ＲＳ構成情報は、１つのＣＳＩ−ＲＳ測定リソースパラメータ（Ｒｅｓｏｕｒｃｅ  ｓｅｔｔｉｎｇ）および前記ＣＳＩ−ＲＳ測定リソースパラメータに対応するレポートフィードバックパラメータ（Ｒｅｐｏｒｔ  ｓｅｔｔｉｎｇ）を含む。前記ＣＳＩ−ＲＳ測定リソースパラメータは、ＣＳＩ−ＲＳリソースのパラメータの構成に使用される。前記レポートフィードバックパラメータは、端末がネットワーク側のデバイスにフィードバックするパラメータコンテンツの構成にしようされる。
【００８０】
レポートフィードバックパラメータは、以下のパラメータの構成を含む：ＣＳＩフィードバックパラメータ（ｒｅｐｏｒｔ  ｑｕａｎｔｉｔｙ）、コードブック構成、ＣＳＩフィードバックの時間領域の振る舞い、ＰＭＩおよびＣＱＩの周波数領域の粒度、および測定制約構成。ここで、ＣＳＩフィードバックパラメータは、ＵＥがビーム管理関連のフィードバックを実行するか、ＣＳＩが関連するフィードバックを取得するかを示すために使用される。
【００８１】
任意選択で、本発明の実施形態では、Ｎ個のＣＳＩ−ＲＳリソースは、１つのＣＳＩ−ＲＳリソースセット（Ｒｅｓｏｕｒｃｅ  ｓｅｔ）を介して管理され、一方、ＣＳＩ−ＲＳリソースセット（Ｒｅｓｏｕｒｃｅ  ｓｅｔ）上のＣＳＩ−ＲＳリソースの構成情報は、ＣＳＩ−ＲＳ測定リソースパラメータ（Ｒｅｓｏｕｒｃｅ  ｓｅｔｔｉｎｇ）を介して構成される。
【００８２】
ＣＳＩ−ＲＳ構成情報を決定した後、ネットワーク側のデバイスは、ＣＳＩ−ＲＳ構成情報を端末に送信する。端末は、ＣＳＩ−ＲＳ構成情報を取得した後、ＣＳＩ−ＲＳ測定リソースパラメータのＮ個のＣＳＩ−ＲＳリソースに対応する表示情報に従い、Ｎ個のＣＳＩ−ＲＳリソースの用途を決定し、レポートフィードバックパラメータに従ってフィードバックのＣＳＩコンテンツを決定する。
【００８３】
任意選択で、本発明の実施形態では、ネットワーク側のデバイスはまた、他のＣＳＩ−ＲＳ構成情報を設定することができる。たとえば、ネットワーク側のデバイスは、３つのＣＳＩ−ＲＳ測定リソースパラメータと、当該３つのＣＳＩ−ＲＳ測定リソースパラメータに対応する１つのレポートフィードバックメカニズムを含むＣＳＩ−ＲＳ構成情報を構成し、ここでは繰り返されない
【００８４】
任意選択で、端末は、Ｎ個のＣＳＩ−ＲＳリソースを受信した後、Ｎ個のＣＳＩ−ＲＳリソースに対応する表示情報をさらに取得することができ、端末は、受信した前記ＣＳＩ−ＲＳリソースの数、およびＣＳＩ−ＲＳリソースの数と表示情報との間のバインディング関係に従って、Ｎ個の前記ＣＳＩ−ＲＳリソースに対応する表示情報を決定し、本発明の実施形態におけるバインディング関係は、端末によって以前に確立され、保存されている。
【００８５】
ステップ３０５において、端末は、受信したＮ個のＣＳＩ−ＲＳリソースに従って、Ｍ個のコードワードに対応する伝送チャネルのＣＳＩを決定し、これは、以下のうちの任意の１つまたは複数を含む。
【００８６】
各ＣＳＩ−ＲＳリソースについて、端末は、前記ＣＳＩ−ＲＳリソースに従ってコードワードに対応する伝送チャネルのチャネル推定値を推定すること
各ＣＳＩ−ＲＳリソースについて、端末は、前記ＣＳＩ−ＲＳリソースに従って端末が他のＣＳＩ−ＲＳリソースに対応するコードワードを受信したときに、ＣＳＩ−ＲＳリソースに対応するコードワードによって生成される端末との干渉の干渉推定値を推定すること
各ＣＳＩ−ＲＳリソースについて、端末は、前記ＣＳＩ−ＲＳリソースに従って端末によって受信されたノイズを推定すること
各ＣＳＩ−ＲＳリソースについて、端末は、前記ＣＳＩ−ＲＳリソースに従って端末によって受信された他の干渉の干渉推定値を推定すること。
【００８７】
すなわち、端末は、Ｎ個のＣＳＩ−ＲＳリソースを直接利用して、Ｍ個のコードワードに対応する伝送チャネルのチャネル状態情報（ＣＳＩ）を決定することができる。
【００８８】
同様に、端末はまた、Ｎ個のＣＳＩ−ＲＳリソースおよびＮ個のＣＳＩ−ＲＳリソースに対応する指示情報に従って、Ｍ個のコードワードに対応する伝送チャネルのチャネル状態情報（ＣＳＩ）を決定することができる。
【００８９】
任意選択で、本発明の実施形態では、端末は、表示情報の一部を取得することができ、例えば、端末は、第１の表示情報を取得し、端末は、第１の表示情報およびＣＳＩ−ＲＳリソースに従がって前記コードワードに対応する伝送チャネルのチャネル推定値を推定し、端末は、前記ＣＳＩ−ＲＳリソースに従って前記端末が他のＣＳＩ−ＲＳリソースに対応するコードワードを受信したときに、前記ＣＳＩ−ＲＳリソースに対応するコードワードによって生成される端末との干渉の干渉推定値を推定する。端末は、前記ＣＳＩ−ＲＳリソースに従って前記端末によって受信されたノイズを推定する。端末は、前記ＣＳＩ−ＲＳリソースに従って前記端末によって受信された他の干渉の干渉推定値を推定する。
【００９０】
任意選択で、本発明の実施形態では、各コードワードについて、前記ＣＳＩは、前記コードワードに対応するＣＳＩ−ＲＳリソースに対応するプリコーディング・マトリックス・インジケータ（ＰＭＩ）と、前記コードワードに対応するＣＳＩ−ＲＳリソースに対応するランク・インジケータ（ＲＩ）および前記コードワードに対応するチャネル品質インジケータ（ＣＱＩ）とを含む。
【００９１】
すなわち、本発明の実施形態では、端末がネットワーク側のデバイスに報告するのは、各コードワードのＰＭＩ／ＲＩ／ＣＱＩである。任意選択で、本発明の実施形態では、端末は、レポートフィードバックパラメータに従って、レポートのコンテンツ（レポートの全部または一部であり得る）を決定することができる。
任意選択で、本発明の実施形態では、ＰＭＩは、高精度ＰＭＩまたは低精度ＰＭＩであり得る。
【００９２】
本発明の実施形態では、端末がＮ個のＣＳＩ−ＲＳリソースに従ってＭ個のコードワードに対応する伝送チャネルのチャネル状態情報（ＣＳＩ）を決定するとき、以下の仮定条件が含まれる。すなわち、各ＣＳＩ−ＲＳリソースについて、ＣＳＩ−ＲＳリソースに対応するＤＭＲＳポートグループを介して送信されるＣＳＩ−ＲＳリソースに対応するコードワードが前記ＣＳＩ−ＲＳリソースに対応するＰＭＩ／ＲＩを使用し、前記コードワードが、ＤＭＲＳポートグループに対応する送受信ポイントを介して端末に送信されると、想定する。
【００９３】
すなわち、本発明の実施形態では、端末がＭ個のコードワードに対応する伝送チャネルのＣＳＩを決定するとき、端末は、ＤＭＲＳポートグループを介して送信されたコードワードを受信し、当該コードワードは、Ｎ個のＣＳＩ−ＲＳリソースのうちの１つのＣＳＩ−ＲＳリソースに対応し、当該コードワードのプリコーディングは、ＣＳＩ−ＲＳリソースに対応するＰＭＩ／ＲＩを使用する。
【００９４】
任意選択で、本発明の実施形態では、ケース２―１の場合、各コードワードは１つのＣＳＩ−ＲＳリソースに対応するので、各ＣＳＩ−ＲＳリソースに対応するＰＭＩ／ＲＩは、各コードワードに対応するＰＭＩ／ＲＩでもある。本発明の実施形態では、各コードワードに対応するＰＭＩ／ＲＩは、端末に事前に格納されている。
【００９５】
本発明の上記の実施形態において、端末によって想定される場合は、図２に示されるようなものであり、すなわち、ＴＲＰ１は端末にコードワードを送信し、ＴＲＰ２は端末にコードワードを送信しないか、またはＴＲＰ２はコードワードを端末に送信し、ＴＲＰ１が端末にコードワードを送信しないか、またはＴＲＰ１がコードワードを端末に送信し、ＴＲＰ２がコードワードを端末に送信する。
【００９６】
任意選択で、本発明の実施形態では、仮定条件はまた、以下を含む：各ＣＳＩ−ＲＳリソースについて、端末は、他のＤＭＲＳポートグループに対応するコードワードを受信したときに、ＤＭＲＳポートグループに対応するコードワードの干渉にＣＳＩ−ＲＳリソースに対応するＰＭＩ／ＲＩが使用され、前記コードワードがＤＭＲＳポートグループに対応する送受信ポイントを介して端末に送信されると、想定する。
【００９７】
すなわち、本発明の実施形態では、端末が想定する場合は、端末が少なくとも２つのＤＭＲＳポートグループから同時にコードワードを受信し、各コードワードについて、別のコードワードの送信が当該コードワードの送信への干渉であることを意味する。
【００９８】
図２に示すように、ＴＲＰ１はコードワード１を端末に送信し、ＴＲＰ２はコードワード２を端末に送信する。端末がコードワード１を受信するとき、コードワード２の送信は、コードワード１への干渉である。同様に、端末がコードワード２を受信するとき、コードワード１の送信は、コードワード２への干渉である。
もちろん、本発明の実施形態では、端末はまた、送信プロセス中に他の干渉および／またはノイズを受信したと想定している。
【００９９】
任意選択で、本発明の実施形態では、端末が、Ｎ個のＣＳＩ−ＲＳリソースに従がってＭ個のコードワードに対応する伝送チャネルのチャネル状態情報（ＣＳＩ）を決定することは、具体的に、
端末は、Ｎ個のＣＳＩ−ＲＳリソースに従って、Ｎ個のコードワードに対応する伝送チャネルのチャネル状態情報（ＣＳＩ）を決定し、
端末は、Ｍ個のコードワードに対応する伝送チャネルのチャネル状態情報（ＣＳＩ）レポートし、
または、
端末は、Ｎ個のＣＳＩ−ＲＳリソースのうちのＭ個ＣＳＩ−ＲＳリソースに従がってＭ個のコードワードに対応する伝送チャネルのチャネル状態情報（ＣＳＩ）を決定し、
端末は、Ｍ個のコードワードに対応する伝送チャネルのチャネル状態情報（ＣＳＩ）レポートする。
【０１００】
すなわち、本発明の実施形態では、端末は、取得したＮ個のＣＳＩ−ＲＳリソースからＭＣＳＩ−ＲＳリソースを選択することができる。Ｍ個のＣＳＩ−ＲＳリソースは、Ｍ個のコードワードに対応し、端末は、Ｍ個のＣＳＩ−ＲＳリソースに従って格差だ量Ｍ個のコードワードに対応する伝送チャネルＣＳＩを決定する。または、端末は、Ｎ個のＣＳＩ−ＲＳリソースに従がってＮ個のコードワードに対応する伝送チャネルＣＳＩを決定した後、Ｍ個のコードワードに対応する伝送チャネルＣＳＩレポートを選択することができる。
【０１０１】
本発明の実施形態によって提供されるチャネル状態情報を決定するための方法をよりよく説明するために、例がここに与えられる。図４に示すように、本発明の実施形態では、測定モードは、ネットワーク側のデバイスが、２つの復調参照信号ポートグループ（ＤＭＲＳ）ポートグループに対応する送受信ポイントを介して２つのコードワードを使用して送信を実行することであり、各コードワードは、１つのＤＭＲＳポートグループに対応する。
ステップ４０１：ネットワーク側のデバイスは、測定モードに従って、それぞれリソース１およびリソース２である２つのＣＳＩ−ＲＳリソースを決定する。
ステップ４０２：ネットワーク側のデバイスは、２つのＣＳＩ−ＲＳリソースに対応する表示情報を決定する。具体的には、以下のとおりである。
【０１０２】
リソース１の場合：ＴＲＰ／パネルＡから端末までのチャネルを推定するために使用される。ＴＲＰ／パネルＡによって送信された信号（コードワードＡ）からＴＲＰ／パネルＢから送信された信号（コードワードＢ）に対して引き起こされた干渉を推定するために使用することもできる。また、他の干渉やノイズを推定するために使用することもできる。
【０１０３】
リソース２の場合：ＴＲＰ／パネルＢから端末までのチャネルを推定するために使用される。また、このチャネルを使用して、ＴＲＰ／パネルＢによって送信された信号（コードワードＢ）からＴＲＰ／パネルＡから送信された信号（コードワードＡ）に引き起こされる干渉を推定することもできる。また、他の干渉やノイズを推定するために使用することもできる。
【０１０４】
ステップ４０３：ネットワーク側のデバイスは、１つのＣＳＩ−ＲＳ構成情報を構成し、ＣＳＩ−ＲＳ構成情報は、１つのＣＳＩ−ＲＳ測定リソースパラメータ（Ｒｅｓｏｕｒｃｅ  ｓｅｔｔｉｎｇ）およびＣＳＩ−ＲＳ測定リソースパラメータに対応するレポートフィードバックパラメータ（Ｒｅｐｏｒｔ  ｓｅｔｔｉｎｇ）を含む。図５に示すように、１つのＣＳＩ−ＲＳリソースセット（Ｒｅｓｏｕｒｃｅ  ｓｅｔ）を介してＮ個のＣＳＩ−ＲＳリソースを管理し、ＣＳＩ−ＲＳ測定リソースパラメータ（Ｒｅｓｏｕｒｃｅ  ｓｅｔｔｉｎｇ）を介してＣＳＩ−ＲＳリソースセット（Ｒｅｓｏｕｒｃｅ  ｓｅｔ）上のＣＳＩ−ＲＳリソースの構成情報を構成する。
ステップ４０４：ネットワーク側のデバイスは、２つのＣＳＩ−ＲＳリソースおよびＣＳＩ−ＲＳ構成情報を、高位層のシグナリングを介して端末に送信する。
ステップ４０５：端末は、ネットワーク側のデバイスによって送信された２つのＣＳＩ−ＲＳリソースおよびＣＳＩ−ＲＳリソースの構成情報を受信する。
ステップ４０６：端末は、リソース１およびリソース１に対応する表示情報に従って、ＴＲＰ／パネルＡから端末のチャネルＨ  ｏｆ  ＴＲＰＡを推定する。
ステップ４０７：端末は、リソース１およびリソース１に対応する表示情報に従って、他の干渉および／またはノイズ（Ｉ＋Ｎ）を推定する。
ステップ４０８：端末は、リソース２およびリソース２に対応する表示情報に従って、ＴＲＰパネル  Ｂ（ＤＭＲＳポートグループ  Ｂ）によって送信される信号（コードワードＢ）から、ＴＲＰパネル  Ａから送信される信号（コードワードＡ）への干渉（Ｉｎｔｅｒｆｅｒｅｎｃｅ  ｆｒｏｍ  ＴＲＰパネル  Ｂ）を推定する。
ステップ４０９：端末は、Ｈ  ｏｆ  ＴＲＰＡ、Ｉ＋ＮおよびＴＲＰパネル  Ｂからの干渉（Ｉｎｔｅｒｆｅｒｅｎｃｅ  ｆｒｏｍ  ＴＲＰパネル  Ｂ）に従がい、ＤＭＲＳポートグループ  Ａ（ＴＲＰパネル  Ａに対応）を介して送信される信号（コードワードＡ）のＰＭＩ／ＲＩ／ＣＱＩ（ＰＭＩ＿Ａ／ＲＩ＿Ａ／ＣＱＩ＿Ａとして示される）を決定し、および、
ＤＭＲＳポートグループ  Ｂ（ＴＲＰパネル  Ｂに対応）を介して送信される信号（コードワードＢ）のＰＭＩ／ＲＩ／ＣＱＩ（ＰＭＩ＿Ｂ／ＲＩ＿Ｂ／ＣＱＩ＿Ｂとして示す）を決定し、および端末は、上記のＣＳＩを決定するときに次の仮定を行う。
【０１０５】
ＤＭＲＳポートグループ  Ａ（ＴＲＰパネル  Ａに対応）を介して送信される信号（コードワードＡ）は、コードワードＡに対応するＰＭＩ＿Ａ／ＲＩ＿Ａを使用し、ＴＲＰパネル  Ａから端末へのチャネル（リソース１によって推定）を介して前記端末に到着する。
【０１０６】
ＤＭＲＳポートグループ  Ｂ（ＴＲＰパネル  Ｂに対応）を介して送信される信号（コードワードＢ）は、コードワードＢに対応するＰＭＩ＿Ｂ／ＲＩ＿Ｂを使用し、ＴＲＰパネル  Ｂから端末へのチャネル（リソース２によって推定）を介して前記端末に到着する。
【０１０７】
そして、端末は、コードワードＢからコードワードＡへの干渉が、コードワードＢに対応するＰＭＩ＿Ｂ／ＲＩ＿Ｂを使用し、ＴＲＰ／パネルＢから端末へのチャネル（リソース２によって推定）を介して端末に到達すると想定する。
【０１０８】
コードワードＡからコードワードＢへの干渉は、ＰＭＩ＿Ａ／ＲＩ＿Ａに対応するプリコーディングマトリックスを使用し、ＴＲＰパネル  Ａから端末へのチャネル（リソース１によって推定）を介して端末に到達すると想定する。
また、端末は他の干渉／ノイズも想定する。
ステップ４１０：端末は、ＰＭＩ＿Ａ／ＲＩ＿Ａ／ＣＱＩ＿ＡおよびＰＭＩ＿Ｂ／ＲＩ＿Ｂ／ＣＱＩ＿Ｂをネットワーク側のデバイスにフィードバックする。
【０１０９】
本発明の実施形態では、ステップ４０６からステップ４０８の順位を交換することができる。
図１の構造に基づいて、本発明の実施形態は、図６に示されるように、以下を含むチャネル状態情報を決定するための方法をさらに提供する。
【０１１０】
ステップ６０１：ネットワーク側のデバイスは、チャネル状態情報（ＣＳＩ）の測定モードを決定し、前記測定モードは、前記ネットワーク側のデバイスが、Ｍ個の復調参照信号ポートグループ（ＤＭＲＳ）ポートグループに対応する送受信ポイントを介してＭ個のコードワードを使用して送信を実行することであり、ここで、Ｍは１以上であり、各コードワードは１つのＤＭＲＳポートグループに対応する。
【０１１１】
ステップ６０２：前記ネットワーク側のデバイスは、測定モードに従ってＮ個のＣＳＩ−ＲＳリソースを決定し、Ｎ個の前記ＣＳＩ−ＲＳリソースは、Ｍ個のコードワードに対応する伝送チャネルのチャネル状態情報（ＣＳＩ）を決定するために端末によって使用され、前記コードワードに対応する伝送チャネルは、前記コードワードの送受信ポイントから前記端末への伝送チャネルであり、前記ＭはＮ以下である。
【０１１２】
本発明の実施形態は、図７に示されるように、チャネル状態情報を決定するための装置をさらに提供する。前記装置は、
チャネル状態情報（ＣＳＩ）の測定モードを決定するように構成された測定モード決定ユニット７０１であって、記測定モードは、前記ネットワーク側のデバイスが、Ｍ個の復調参照信号ポートグループ（ＤＭＲＳ）ポートグループに対応する送受信ポイントを介してＭ個のコードワードを使用して送信を実行することであり、ここで、Ｍは１以上であり、各コードワードは１つのＤＭＲＳポートグループに対応する前記測定モード決定ユニット７０１と、
測定モードに従ってＮ個のＣＳＩ−ＲＳリソースを決定するように構成されたリソース決定ユニット７０２であって、Ｎ個の前記ＣＳＩ−ＲＳリソースは、Ｍ個のコードワードに対応する伝送チャネルのチャネル状態情報（ＣＳＩ）を決定するために端末によって使用され、前記コードワードに対応する伝送チャネルは、前記コードワードの送受信ポイントから前記端末への伝送チャネルであり、前記ＭはＮ以下である前記リソース決定ユニット７０２とを含む。
【０１１３】
同じ原理に基づいて、本発明は、図８に示されるように、電子デバイスをさらに提供する。前記電子デバイスは、プロセッサ８０１、メモリ８０２、送受信機８０３、およびバスインターフェース８０４を含み、ここで、前記プロセッサ８０１、メモリ８０２、および送受信機８０３は、バスインターフェース８０４を介して接続されている。
【０１１４】
前記プロセッサ８０１は、メモリ８０２内のプログラムを読み取って、チャネル状態情報（ＣＳＩ）の測定モードを決定し、前記測定モードは、前記ネットワーク側のデバイスが、Ｍ個の復調参照信号ポートグループ（ＤＭＲＳ）ポートグループに対応する送受信ポイントを介してＭ個のコードワードを使用して送信を実行することであり、ここで、Ｍは１以上であり、各コードワードは１つのＤＭＲＳポートグループに対応し、
測定モードに従ってＮ個のＣＳＩ−ＲＳリソースを決定し、Ｎ個の前記ＣＳＩ−ＲＳリソースは、Ｍ個のコードワードに対応する伝送チャネルのチャネル状態情報（ＣＳＩ）を決定するために端末によって使用され、前記コードワードに対応する伝送チャネルは、前記コードワードの送受信ポイントから前記端末への伝送チャネルであり、前記ＭはＮ以下である。
【０１１５】
本発明の実施形態は、非一時的なコンピュータ可読記憶媒体に格納されたコンピュータプログラムを含むコンピュータプログラム製品を提供し、コンピュータプログラムは、コンピュータによって実行されると、コンピュータに上記のチャネル状態情報を決定するため任意の方法を実行させるコンピュータ命令を含む。
【０１１６】
本発明はさらに、図９に示されるように、以下を含むチャネル状態情報を決定するための方法を提供する。
ステップ９０１：端末は、ネットワーク側のデバイスによって送信されたＮ個のＣＳＩ−ＲＳリソースを受信し、Ｎ個の前記ＣＳＩ−ＲＳリソースは、チャネル状態情報（ＣＳＩ）の測定モードに従ってネットワーク側のデバイスによって決定され、前記測定モードは、前記ネットワーク側のデバイスが、Ｍ個の復調参照信号ポートグループ（ＤＭＲＳ）ポートグループに対応する送受信ポイントを介してＭ個のコードワードを使用して送信を実行することであり、ここで、Ｍは１以上であり、各コードワードは１つのＤＭＲＳポートグループに対応する。
【０１１７】
ステップ９０２：前記端末は、Ｎ個の前記ＣＳＩ−ＲＳリソースに従がってＭ個のコードワードに対応する伝送チャネルのチャネル状態情報（ＣＳＩ）を決定し、前記伝送チャネルは、前記コードワードの送受信ポイントから端末への伝送チャネルであり、ここで、Ｍは、Ｎ以下である。
【０１１８】
本発明の実施形態は、図１０に示されるように、チャネル状態情報を決定するための装置をさらに提供する。前記装置は、
ネットワーク側のデバイスによって送信されたＮ個のＣＳＩ−ＲＳリソースを受信するように構成された受信ユニット１００１であって、Ｎ個の前記ＣＳＩ−ＲＳリソースは、チャネル状態情報（ＣＳＩ）の測定モードに従ってネットワーク側のデバイスによって決定され、前記測定モードは、前記ネットワーク側のデバイスが、Ｍ個の復調参照信号ポートグループ（ＤＭＲＳ）ポートグループに対応する送受信ポイントを介してＭ個のコードワードを使用して送信を実行することであり、ここで、Ｍは１以上であり、各コードワードは１つのＤＭＲＳポートグループに対応する前記受信ユニット１００１と、
Ｎ個の前記ＣＳＩ−ＲＳリソースに従ってＭ個のコードワードに対応する伝送チャネルのチャネル状態情報（ＣＳＩ）を決定するように構成されたＣＳＩ決定ユニット１００２であって、前記伝送チャネルは、前記コードワードの送受信ポイントから端末への伝送チャネルであり、ここで、Ｍは、Ｎ以下である前記ＣＳＩ決定ユニット１００２とを含む。
【０１１９】
同じ原理に基づいて、同じ原理に基づいて、本発明は、図１１に示されるように、電子デバイスをさらに提供する。前記電子デバイスは、プロセッサ１１０１、メモリ１１０２、送受信機１１０３、およびバスインターフェース１１０４を含み、前記プロセッサ１１０１、メモリ１１０２、および送受信機１１０３は、バスインターフェース１１０４を介して接続されている。
【０１２０】
プロセッサ１１０１は、メモリ１１０２内のプログラムを読み取って、ネットワーク側のデバイスによって送信されたＮ個のＣＳＩ−ＲＳリソースを受信し、Ｎ個の前記ＣＳＩ−ＲＳリソースは、チャネル状態情報（ＣＳＩ）の測定モードに従ってネットワーク側のデバイスによって決定され、前記測定モードは、前記ネットワーク側のデバイスが、Ｍ個の復調参照信号ポートグループ（ＤＭＲＳ）ポートグループに対応する送受信ポイントを介してＭ個のコードワードを使用して送信を実行することであり、ここで、Ｍは１以上であり、各コードワードは１つのＤＭＲＳポートグループに対応し、
Ｎ個の前記ＣＳＩ−ＲＳリソースに従ってＭ個のコードワードに対応する伝送チャネルのチャネル状態情報（ＣＳＩ）を決定し、前記伝送チャネルは、前記コードワードの送受信ポイントから端末への伝送チャネルであり、ここで、Ｍは、Ｎ以下である。
【０１２１】
本発明の実施形態は、非一時的なコンピュータ可読記憶媒体に格納されたコンピュータプログラムを含むコンピュータプログラム製品を提供し、コンピュータプログラムは、コンピュータによって実行されると、コンピュータに上記のチャネル状態情報を決定するため任意の方法を実行させるコンピュータ命令を含む。
【０１２２】
以上は本発明の実施形態の方法、装置（システム）、およびコンピュータプログラム製品のフロー図および／またはブロック図によって、本発明を記述した。理解すべきことは、コンピュータプログラム命令によって、フロー図および／またはブロック図における各フローおよび／またはブロックと、フロー図および／またはブロック図におけるフローおよび／またはブロックの結合を実現できる。プロセッサはこれらのコンピュータプログラム命令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム命令を実行し、フロー図における一つ或いは複数のフローおよび／またはブロック図における一つ或いは複数のブロックに指定する機能を実現する。
【０１２３】
これらのコンピュータプログラム命令は、又、コンピュータ或いは他のプログラム可能なデータ処理装置を特定方式で動作させるコンピュータ読取記憶装置に記憶できる。これによって、命令を含む装置は当該コンピュータ読取記憶装置内の命令を実行でき、フロー図における一つ或いは複数のフローおよび／またはブロック図における一つ或いは複数のブロックに指定する機能を実現する。
【０１２４】
これらコンピュータプログラム命令はさらに、コンピュータ或いは他のプログラム可能なデータ処理装置設備に実装もできる。コンピュータプログラム命令が実装されたコンピュータ或いは他のプログラム可能設備は、一連の操作ステップを実行することによって、関連の処理を実現し、コンピュータ或いは他のプログラム可能な設備において実行される命令によって、フロー図における一つ或いは複数のフローおよび／またはブロック図における一つ或いは複数のブロックに指定する機能を実現する。
【０１２５】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１２６】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１２７】
１０１  ネットワーク側のデバイス
１０２  端末
【図１】
2022500954.tif 000003
【図２】
2022500954.tif 000004
【図３】
2022500954.tif 000005
【図４】
2022500954.tif 000006
【図５】
2022500954.tif 000007
【図６】
2022500954.tif 000008
【図７】
2022500954.tif 000009
【図８】
2022500954.tif 000010
【図９】
2022500954.tif 000011
【図１０】
2022500954.tif 000012
【図１１】
2022500954.tif 000013
【手続補正書】
【提出日】令和3年3月22日(2021.3.22)
【手続補正１】
【補正対象書類名】特許請求の範囲
【補正対象項目名】全文
【補正方法】変更
【補正の内容】
【特許請求の範囲】
【請求項１】
ネットワーク側のデバイスは、チャネル状態情報（ＣＳＩ）の測定モードを決定するステップであって、前記測定モードは、前記ネットワーク側のデバイスが、Ｍ個の復調参照信号ポートグループ（ＤＭＲＳ）ポートグループに対応する送受信ポイントを介してＭ個のコードワードを使用して送信を実行することであり、ここで、Ｍは１以上であり、各コードワードは１つのＤＭＲＳポートグループに対応する前記決定するステップと、
前記ネットワーク側のデバイスは、測定モードに従ってＮ個のＣＳＩ−ＲＳリソースを決定するステップであって、Ｎ個の前記ＣＳＩ−ＲＳリソースは、Ｍ個のコードワードに対応する伝送チャネルのチャネル状態情報（ＣＳＩ）を決定するために端末によって使用され、前記コードワードに対応する伝送チャネルは、前記コードワードの送受信ポイントから前記端末への伝送チャネルであり、前記ＭはＮ以下である前記決定するステップとを含むことを特徴とする、チャネル状態情報を決定するための方法。
【請求項２】
前記ネットワーク側のデバイスは、測定モードに従ってＮ個のＣＳＩ−ＲＳリソースを決定した後、
前記ネットワーク側のデバイスは、Ｎ個の前記ＣＳＩ−ＲＳリソースに対応する表示情報を決定し、Ｎ個の前記ＣＳＩ−ＲＳリソースに対応する表示情報は、前記端末は、Ｎ個の前記ＣＳＩ−ＲＳリソースに従がってに従がってＭ個のコードワードに対応する伝送チャネルのチャネル状態情報（ＣＳＩ）を決定するために端末を示すために使用され、
前記ネットワーク側のデバイスは、前記Ｎ個の前記ＣＳＩ−ＲＳリソースに対応する表示情報を前記端末に送信することを特徴とする、請求項１に記載のチャネル状態情報を決定するための方法。
【請求項３】
前記ネットワーク側のデバイスがＮ個の前記ＣＳＩ−ＲＳリソースに対応する表示情報を前記端末に送信することは、
前記ネットワーク側のデバイスは、Ｎ個の前記ＣＳＩ−ＲＳリソースに対応する表示情報をＣＳＩ−ＲＳ測定リソースパラメータに追加し、前記ネットワーク側のデバイスは、前記ＣＳＩ−ＲＳ測定リソースパラメータを前記端末に送信し、ここで、前記ＣＳＩ−ＲＳ測定リソースパラメータは、前記ＣＳＩ−ＲＳ測定リソースパラメータに従がって測定する端末を示すために使用され、または、
前記ネットワーク側のデバイス高位層のシグナリングを介してＮ個の前記ＣＳＩ−ＲＳリソースに対応する表示情報を前記端末に通知し、または、
前記ネットワーク側のデバイスは、物理ダウンリンクシグナリングを介してＮ個の前記ＣＳＩ−ＲＳリソースに対応する表示情報を前記端末に通知することを含むことを特徴とする、請求項２に記載のチャネル状態情報を決定するための方法。
【請求項４】
前記ネットワーク側のデバイスは、測定モードに従ってＮ個のＣＳＩ−ＲＳリソースを決定した後、
前記ネットワーク側のデバイスは、ＣＳＩ−ＲＳ構成情報を決定し、前記ＣＳＩ−ＲＳ構成情報は、ＣＳＩ−ＲＳ測定リソースパラメータと、前記ＣＳＩ−ＲＳ測定リソースパラメータに対応するレポートフィードバックパラメータとを含み、前記ＣＳＩ−ＲＳ測定リソースパラメータは、Ｎ個の前記ＣＳＩ−ＲＳリソースに対応する表示情報を含み、前記レポートフィードバックパラメータは、ＣＳＩの測定後に端末によってレポートされたコンテンツとフィードバックモードを示すために使用され、
前記ネットワーク側のデバイスは、前記ＣＳＩ−ＲＳ構成情報を前記端末に送信することを特徴とする、請求項３に記載のチャネル状態情報を決定するための方法。
【請求項５】
Ｎ個の前記ＣＳＩ−ＲＳリソースに対応する表示情報は、第１の表示情報、第２の表示情報、第３の表示情報のうちの任意の１つまたは複数を含み、
各ＣＳＩ−ＲＳリソースについて、前記第１の表示情報は、前記コードワードに対応する伝送チャネルのチャネル推定値を推定するために前記端末を示すために使用され、
各ＣＳＩ−ＲＳリソースについて、前記第２の表示情報は、前記端末が、他のＣＳＩ−ＲＳリソースに対応するコードワードを受信するときに、前記ＣＳＩ−ＲＳリソースに対応するコードワードによって生成される端末との干渉の干渉推定値を推定するために端末を示すために使用され、
各ＣＳＩ−ＲＳリソースについて、前記第３の表示情報は前記端末が受信したノイズを推定するために前記端末を示すために使用され、および／または
前記第３の表示情報は、前記端末との間の他の干渉の干渉推定値を推定するために前記端末を示すために使用されることを特徴とする、請求項２に記載のチャネル状態情報を決定するための方法。
【請求項６】
端末は、ネットワーク側のデバイスによって送信されたＮ個のＣＳＩ−ＲＳリソースを受信するステップであって、Ｎ個の前記ＣＳＩ−ＲＳリソースは、チャネル状態情報（ＣＳＩ）の測定モードに従ってネットワーク側のデバイスによって決定され、前記測定モードは、前記ネットワーク側のデバイスが、Ｍ個の復調参照信号ポートグループ（ＤＭＲＳ）ポートグループに対応する送受信ポイントを介してＭ個のコードワードを使用して送信を実行することであり、ここで、Ｍは１以上であり、各コードワードは１つのＤＭＲＳポートグループに対応する前記受信するステップと、
前記端末は、Ｎ個の前記ＣＳＩ−ＲＳリソースに従がってＭ個のコードワードに対応する伝送チャネルのチャネル状態情報（ＣＳＩ）を決定するステップであって、前記伝送チャネルは、前記コードワードの送受信ポイントから端末への伝送チャネルであり、ここで、Ｍは、Ｎ以下である前記決定するステップとを含むことを特徴とする、記載のチャネル状態情報を決定するための方法。
【請求項７】
前記端末が、Ｎ個の前記ＣＳＩ−ＲＳリソースに従がってＭ個のコードワードに対応する伝送チャネルのチャネル状態情報（ＣＳＩ）を決定することは、以下のうちの任意の１つまたは複数を含み、
各ＣＳＩ−ＲＳリソースについて、前記端末は、前記ＣＳＩ−ＲＳリソースに従って前記コードワードに対応する伝送チャネルのチャネル推定値を推定し、
各ＣＳＩ−ＲＳリソースについて、前記端末は、前記ＣＳＩ−ＲＳリソースに従って他のＣＳＩ−ＲＳリソースに対応するコードワードを受信したときに、前記ＣＳＩ−ＲＳリソースに対応するコードワードによって生成される端末との干渉の干渉推定値を推定し、
各ＣＳＩ−ＲＳリソースについて、前記端末は、前記ＣＳＩ−ＲＳリソースに従って前記端末によって受信されたノイズを推定し、
各ＣＳＩ−ＲＳリソースについて、前記端末は、前記ＣＳＩ−ＲＳリソースに従って前記端末によって受信された他の干渉の干渉推定値を推定することを特徴とする、請求項６に記載のチャネル状態情報を決定するための方法。
【請求項８】
前記端末は、Ｎ個の前記ＣＳＩ−ＲＳリソースに対応する表示情報を取得し、前記表示情報は、第１の表示情報、第２の表示情報、および第３の表示情報のうちの任意の１つまたは複数を含み、
各ＣＳＩ−ＲＳリソースについて、前記端末が、前記ＣＳＩ−ＲＳリソースに従って前記コードワードに対応する伝送チャネルのチャネル推定値を推定することは、前記端末は、前記第１の表示情報および前記ＣＳＩ−ＲＳリソースに従って前記コードワードに対応する伝送チャネルのチャネル推定値を推定することであり、ここで、前記第１の表示情報は、前記コードワードに対応する伝送チャネルのチャネル推定値を推定するために前記端末を示すために使用され、
各ＣＳＩ−ＲＳリソースについて、前記端末は、前記ＣＳＩ−ＲＳリソースに従って他のＣＳＩ−ＲＳリソースに対応するコードワードを受信したときに、前記ＣＳＩ−ＲＳリソースに対応するコードワードによって生成される端末との干渉の干渉推定値を推定することは、前記端末は、前記第２の表示情報および前記ＣＳＩ−ＲＳリソースに従がい、他のＣＳＩ−ＲＳリソースに対応するコードワードを受信したときに、前記ＣＳＩ−ＲＳリソースに対応するコードワードによって生成される端末との干渉の干渉推定値を推定することであり、ここで、前記第２の表示情報は、前記端末が、他のＣＳＩ−ＲＳリソースに対応するコードワードを受信するときに、前記ＣＳＩ−ＲＳリソースに対応するコードワードによって生成される端末との干渉の干渉推定値を推定するために端末を示すために使用され、
各ＣＳＩ−ＲＳリソースについて、前記端末が、前記ＣＳＩ−ＲＳリソースに従って前記端末によって受信されたノイズを推定することは、前記端末は、前記第３の表示情報以及前記ＣＳＩ−ＲＳリソースに従って前記端末によって受信されたノイズを推定することであり、ここで、前記第３の表示情報は、前記端末によって受信されたノイズを推定するために前記端末を示すために使用され、
各ＣＳＩ−ＲＳリソースについて、前記端末が、前記ＣＳＩ−ＲＳリソースに従って前記端末によって受信された他の干渉の干渉推定値を推定することは、
前記端末は、前記第３の表示情報以及前記ＣＳＩ−ＲＳリソースに従って前記端末によって受信された他の干渉の干渉推定値を推定し、ここで、前記第３の表示情報は、前記端末によって受信された他の干渉の干渉推定値を推定するために前記端末を示すためにさらに使用されることを特徴とする、請求項７に記載のチャネル状態情報を決定するための方法。
【請求項９】
前記端末が、Ｎ個の前記ＣＳＩ−ＲＳリソースに対応する表示情報を取得することは、
前記端末は、前記ネットワーク側のデバイスによって送信されたＣＳＩ−ＲＳ測定リソースパラメータを受信し、前記ＣＳＩ−ＲＳ測定リソースパラメータは、Ｎ個の前記ＣＳＩ−ＲＳリソースに対応する表示情報を含み、または、
前記端末は、前記ネットワーク側のデバイスによって送信された高位層シグナリングを受信し、前記高位層シグナリングは、Ｎ個の前記ＣＳＩ−ＲＳリソースに対応する表示情報を含み、または、
前記端末は、前記ネットワーク側のデバイスによって送信された物理ダウンリンクシグナリングを受信し、前記物理ダウンリンクシグナリングは、Ｎ個の前記ＣＳＩ−ＲＳリソースに対応する表示情報を含むことを特徴とする、請求項８に記載のチャネル状態情報を決定するための方法。
【請求項１０】
前記端末が、Ｎ個の前記ＣＳＩ−ＲＳリソースに対応する表示情報を取得することは、
前記端末は、受信した前記ＣＳＩ−ＲＳリソースの数、およびＣＳＩ−ＲＳリソースの数と表示情報との間のバインディング関係に従ってＮ個の前記ＣＳＩ−ＲＳリソースに対応する表示情報を決定することを特徴とする、請求項８に記載のチャネル状態情報を決定するための方法。
【請求項１１】
各コードワードについて、前記ＣＳＩは、前記コードワードに対応するＣＳＩ−ＲＳリソースに対応するプリコーディング・マトリックス・インジケータ（ＰＭＩ）と、前記コードワードに対応するＣＳＩ−ＲＳリソースに対応するランク・インジケータ（ＲＩ）および前記コードワードに対応するチャネル品質インジケータ（ＣＱＩ）を含むことを特徴とする、請求項６から１０のいずれか１項に記載のチャネル状態情報を決定するための方法。
【請求項１２】
前記端末が、Ｎ個の前記ＣＳＩ−ＲＳリソースに従がってＭ個の前記コードワードに対応する伝送チャネルのチャネル状態情報（ＣＳＩ）を決定し、を決定することは、
前記端末は、仮定条件およびＮ個の前記ＣＳＩ−ＲＳリソースに従ってＭ個の前記コードワードに対応する伝送チャネルのチャネル状態情報（ＣＳＩ）を決定し、
ここで、前記仮定条件は、
各ＣＳＩ−ＲＳリソースについて、前記端末は、前記ＣＳＩ−ＲＳリソースに対応するＤＭＲＳポートグループを介して送信された前記ＣＳＩ−ＲＳリソースに対応するコードワードが、前記ＣＳＩ−ＲＳリソースに対応するＰＭＩ／ＲＩを使用し、通過前記ＤＭＲＳポートグループに対応する送受信ポイントを介して前記端末に送信されると、想定することであり、
前記仮定条件はさらに、
各ＣＳＩ−ＲＳリソースについて、前記端末が、他のＤＭＲＳポートグループに対応するコードワードを受信したときに、前記ＤＭＲＳポートグループに対応するコードワードが、前記ＣＳＩ−ＲＳリソースに対応するＰＭＩ／ＲＩを使用し、前記ＤＭＲＳポートグループに対応する送受信ポイントを介して前記端末に送信するを、想定することであることを特徴とする、請求項１１に記載のチャネル状態情報を決定するための方法。
【請求項１３】
前記端末が、Ｎ個の前記ＣＳＩ−ＲＳリソースに従がってＭ個のコードワードに対応する伝送チャネルのチャネル状態情報（ＣＳＩ）を決定することは、
前記端末は、Ｎ個の前記ＣＳＩ−ＲＳリソースに従がってＮ個のコードワードに対応する伝送チャネルのチャネル状態情報（ＣＳＩ）を決定し、
前記端末は、Ｍ個のコードワードに対応する伝送チャネルのチャネル状態情報（ＣＳＩ）レポートし、
または、
前記端末は、Ｎ個の前記ＣＳＩ−ＲＳリソースのうちのＭ個の前記ＣＳＩ−ＲＳリソースに従がってＭ個のコードワードに対応する伝送チャネルのチャネル状態情報（ＣＳＩ）を決定し、
前記端末は、Ｍ個のコードワードに対応する伝送チャネルのチャネル状態情報（ＣＳＩ）レポートすることを含むことを特徴とする、請求項６に記載のチャネル状態情報を決定するための方法。
【請求項１４】
チャネル状態情報（ＣＳＩ）の測定モードを決定するように構成された測定モード決定ユニット、前記測定モードは、前記ネットワーク側のデバイスが、Ｍ個の復調参照信号ポートグループ（ＤＭＲＳ）ポートグループに対応する送受信ポイントを介してＭ個のコードワードを使用して送信を実行することであり、ここで、Ｍは１以上であり、各コードワードは１つのＤＭＲＳポートグループに対応し、
Ｎ個のＣＳＩ−ＲＳリソースを決定するように構成されたリソース決定ユニット、Ｎ個の前記ＣＳＩ−ＲＳリソースは、Ｍ個のコードワードに対応する伝送チャネルのチャネル状態情報（ＣＳＩ）を決定するために端末によって使用され、前記コードワードに対応する伝送チャネルは、前記コードワードの送受信ポイントから前記端末への伝送チャネルであり、前記ＭはＮ以下であることを特徴とする、チャネル状態情報を決定するための装置。
【請求項１５】
ネットワーク側のデバイスによって送信されたＮ個のＣＳＩ−ＲＳリソースを受信するように構成された受信ユニットであって、Ｎ個の前記ＣＳＩ−ＲＳリソースは、チャネル状態情報（ＣＳＩ）の測定モードに従ってネットワーク側のデバイスによって決定され、前記測定モードは、前記ネットワーク側のデバイスが、Ｍ個の復調参照信号ポートグループ（ＤＭＲＳ）ポートグループに対応する送受信ポイントを介してＭ個のコードワードを使用して送信を実行することであり、ここで、Ｍは１以上であり、各コードワードは１つのＤＭＲＳポートグループに対応する前記受信ユニットと、
Ｎ個の前記ＣＳＩ−ＲＳリソースに従ってＭ個のコードワードに対応する伝送チャネルのチャネル状態情報（ＣＳＩ）を決定するように構成されたＣＳＩ決定ユニットであって、前記伝送チャネルは、前記コードワードの送受信ポイントから端末への伝送チャネルであり、ここで、Ｍは、Ｎ以下である前記ＣＳＩ決定ユニットとを含むことを特徴とする、チャネル状態情報を決定するための装置。
【国際調査報告】
2022500954.tif 000014
2022500954.tif 000015
2022500954.tif 000016
2022500954.tif 000017